(57)【要約】【課題】本発明は、一つの回路で直列共振方式と並列共振方式を共に適用することを可能にして、エネルギー回収效率を高めたプラズマディスプレイ装置駆動方法を提供することにある。【解決手段】本発明によるプラズマディスプレイ装置駆動方法は、サステイン電圧がスキャン電極に印加される段階と、スキャン電極に印加されたエネルギーをインダクター部を通じてサステイン電極に印加する段階と、サステイン電圧をサステイン電極に印加する段階と、サステイン電極に印加されたエネルギーをインダクター部を通じてスキャン電極に印加する段階を含むことを特徴とする【選択図】図４
2007114725.tif 000002
【特許請求の範囲】
【請求項１】
サステイン電圧がスキャン電極に印加される段階と、
前記スキャン電極に印加されたエネルギーをインダクター部を通じてサステイン電極に印加する段階と、
サステイン電圧を前記サステイン電極に印加する段階と、
前記サステイン電極に印加されたエネルギーを前記インダクター部を通じて前記スキャン電極に印加する段階と、
を含むことを特徴とするプラズマディスプレイ装置駆動方法。
【請求項２】
前記インダクター部は、第１インダクターと第２インダクターを含み、
前記第１インダクター及び前記第２インダクターを介して、前記スキャン電極から前記サステイン電極にエネルギーが印加され、
前記第１インダクター及び前記第２インダクターを介して、前記サステイン電極から前記スキャン電極にエネルギーが印加される
ことを特徴とする、請求項１記載のプラズマディスプレイ装置駆動方法。
【請求項３】
前記第１インダクターは、エネルギー回収のためのエネルギー格納部とスキャン電極とを連結しており、
前記エネルギー格納部からのエネルギーの印加なしに、前記スキャン電極から、前記第１インダクター及び前記第２インダクターを介して、前記サステイン電極にエネルギーを印加することを特徴とする、
請求項２記載のプラズマディスプレイ装置駆動方法。
【請求項４】
前記第２インダクターは、エネルギー回収のためのエネルギー格納部とサステイン電極とを連結しており、
前記エネルギー格納部からのエネルギーの印加なしに、前記サステイン電極から、前記第２インダクター及び前記第１インダクターを介して、前記スキャン電極にエネルギーを印加することを特徴とする、
請求項２記載のプラズマディスプレイ装置駆動方法。
【請求項５】
エネルギー格納部のエネルギーを第１インダクターを通じてスキャン電極に印加する段階と、
サステイン電圧をスキャン電極に印加する段階と、
前記スキャン電極に供給されたエネルギーを前記第１インダクターを通じて前記エネルギー格納部に格納する段階と、
前記スキャン電極をグラウンド電位で維持する段階と、
前記エネルギー格納部のエネルギーを第２インダクターを通じてサステイン電極に印加する段階と、
サステイン電圧をサステイン電極に印加する段階と、
前記サステイン電極に供給されたエネルギーを前記第２インダクターを通じて前記エネルギー格納部に回収する段階と、
を含むことを特徴とするプラズマディスプレイ装置駆動方法。
【請求項６】
前記エネルギー格納部は、サステイン電圧の略半分にあたるエネルギーを回収することを特徴とする、請求項５記載のプラズマディスプレイ装置駆動方法。
【請求項７】
前記第１インダクターは、前記エネルギー格納部と前記スキャン電極を連結すると共に前記第１インダクタと直列に第１スイッチが接続されており、
前記第１スイッチをターンオンして、前記エネルギー格納部から、前記第１インダクタ、前記第１スイッチを介して、前記スキャン電極にエネルギーを印加し、
前記第１スイッチをターンオフして、前記スキャン電極から、前記第１インダクタ、前記第１スイッチの内部ダイオードまたは前記第１スイッチに並列接続されたダイオードを介して、前記エネルギー格納部にエネルギーを回収する、
ことを特徴とする、請求項５記載のプラズマディスプレイ装置駆動方法。
【請求項８】
前記第２インダクターは、前記エネルギー格納部と前記サステイン電極を連結すると共に、前記第２インダクターと直列に第２スイッチが接続されており、
前記第２スイッチをターンオンして、前記エネルギー格納部から、前記第２インダクタ、前記第２スイッチを介して、前記サステイン電極にエネルギーを印加し、
前記第２スイッチをターンオフして、前記エネルギー格納部から、前記第２インダクタ、前記第２スイッチの内部ダイオードまたは前記第２スイッチに並列接続されたダイオードを介して、前記サステイン電極にエネルギーを印加する、
ことを特徴とする、請求項５記載のプラズマディスプレイ装置駆動方法。
【請求項９】
前記エネルギー格納部は、回収されたエネルギーの格納のためのキャパシター（Ｃａｐａｃｉｔｏｒ）及びエネルギー回収のためのスイチング手段を含み、
前記スイッチング手段をターンオンして、前記スキャン電極から、前記第１インダクタ及び前記スイッチング手段を介して、前記エネルギー格納部にエネルギーを回収し、
前記スイッチング手段をターンオンして、前記サステイン電極から、前記第２インダクタ及び前記スイッチング手段を介して、前記エネルギー格納部にエネルギーを回収する
ことを特徴とする、請求項５記載のプラズマディスプレイ装置駆動方法。
【請求項１０】
前記スイチング手段はダイオードを含み、
前記スイッチング手段をターンオフして、前記エネルギー格納部から、前記ダイオード及び前記第１インダクターを介して、前記スキャン電極にエネルギーを印加し、
前記スイッチング手段をターンオフして、前記エネルギー格納部から、前記ダイオード及び前記第２インダクターを介して、前記サステイン電極にエネルギーを印加する、
ことを特徴とする、請求項９記載のプラズマディスプレイ装置駆動方法。
【請求項１１】
エネルギー格納部のエネルギーを第１インダクターを通じてスキャン電極に印加する段階と、
サステイン電圧を前記スキャン電極に印加する段階と、
前記スキャン電極に印加されたエネルギーを前記第１インダクターと第２インダクターを通じてサステイン電極に印加する段階と、
前記サステイン電圧を前記サステイン電極に印加する段階と、
前記サステイン電極に印加されたエネルギーを前記第１インダクターと前記第２インダクターを通じて前記スキャン電極に印加する段階と、
前記サステイン電圧を前記スキャン電極に印加する段階と、
前記スキャン電極に印加されたエネルギーを前記第１インダクターを通じて前記エネルギー格納部に格納する段階と、
を含むことを特徴とするプラズマディスプレイ装置駆動方法。
【請求項１２】
前記第１インダクターは、前記エネルギー格納部と前記スキャン電極を連結しており、
前記第１インダクタと前記エネルギー格納部との直列共振により、前記エネルギー格納部のエネルギーを前記スキャン電極に印加することを特徴とする、請求項１１記載のプラズマディスプレイ装置駆動方法。
【請求項１３】
前記第２インダクターは、前記エネルギー格納部と前記サステイン電極を連結しており、
前記第１インダクタと前記エネルギー格納部との直列共振により、前記エネルギー格納部のエネルギーを前記スキャン電極に印加することを特徴とする、請求項１１記載のプラズマディスプレイ装置駆動方法。
【請求項１４】
前記エネルギー格納部は、回収されたエネルギー格納のためのキャパシターと、エネルギー回収のためのスイチング手段と、を含み、
前記スイッチング手段をターンオンして、前記スキャン電極から、前記第１インダクタ及び前記スイッチング手段を介して、前記キャパシタにエネルギーを回収する、
ことを特徴とする、請求項１１記載のプラズマディスプレイ装置駆動方法。
【請求項１５】
前記スイチング手段はダイオードを含み、
前記スイッチング手段をターンオフして、前記エネルギー格納部から、前記第１インダクタ、前記スイッチング手段の内部ダイオードまたは前記スイッチング手段に並列接続されたダイオードを介して、前記スキャン電極にエネルギーを印加する、
ことを特徴とする、請求項１４記載のプラズマディスプレイ装置駆動方法。
【請求項１６】
前記エネルギー格納部は、サステイン電圧の略半分にあたるエネルギーを格納することを特徴とする、請求項１１記載のプラズマディスプレイ装置駆動方法。
【請求項１７】
前記第１インダクターは第１スイッチによってスキャン電極と繋がれており、
前記第１スイッチをターンオンして、エネルギー格納部から、前記第１スイッチ及び前記第１インダクターを通じて、前記スキャン電極にエネルギーを直列共振により印加し、
前記第１スイッチをターンオンして、前記サステイン電極から、前記第２インダクター、前記第１インダクター、前記第１スイッチを通じて、前記スキャン電極にエネルギーを並列共振により印加する、
ことを特徴とする、請求項１１記載のプラズマディスプレイ装置駆動方法。
【請求項１８】
前記第２インダクターは第２スイッチによってサステイン電極と繋がれており、
前記第２スイッチをターンオンして、前記スキャン電極から、前記第２スイッチ、前記第１インダクター、前記第２インダクターを通じて、前記サステイン電極に、並列共振によりエネルギーを印加る、
ことを特徴とする、請求項１１記載のプラズマディスプレイ装置駆動方法。
【請求項１９】
前記第１スイッチはダイオードを備えており、
前記第１スイッチをターンオフして、前記スキャン電極から、前記ダイオード、前記第１インダクタを通じて、前記エネルギー格納部に直列共振によりエネルギーを格納し、
前記第１スイッチをターンオフして、前記スキャン電極から、前記ダイオード、前記第１インダクター、前記第２インダクターを通じて、前記サステイン電極に並列共振によりエネルギーを印加する
ことを特徴とする、請求項１７記載のプラズマディスプレイ装置駆動方法。
【請求項２０】
前記第２スイッチはダイオードを備えており、
前記第２スイッチをターンオフして、前記サステイン電極から、前記ダイオード、前記第２インダクター、前記第１インダクターを通じて、前記スキャン電極に並列共振によりエネルギーを印加する
ことを特徴とする、請求項１８記載のプラズマディスプレイ装置駆動方法。
【請求項２１】
第１電極及び第２電極を含む維持電極対を備えたプラズマディスプレイ装置のエネルギー回収回路であって、
前記第１電極と第１電圧源とを接続する第１スイッチと、
前記第１電極及び前記第１スイッチと接続された第２スイッチと、
前記第２電極と第２電圧源とを接続する第３スイッチと、
前記第２電極及び前記第３スイッチと接続された第４スイッチと、
前記第２スイッチを介して前記第１電極と接続されると共に、前記第４スイッチを介して前記第２電極と接続されたインダクタ部と、
を備えるエネルギー回収回路。
【請求項２２】
前記インダクタ部は、前記第２スイッチに接続された第１インダクタと、前記第４スイッチに接続された第２インダクタとを含み、
前記第１インダクタを介して前記第１電極と接続されると共に、前記第２インダクタを介して前記第２電極と接続されるエネルギー格納部を更に備える、
請求項２１記載のエネルギー回収回路。
【発明の詳細な説明】
【技術分野】
【０００１】
本発明は、プラズマディスプレイ装置に関し、より詳くは、プラズマディスプレイ装置の駆動方法に関する。
【背景技術】
【０００２】
一般的にプラズマディスプレイパネル（Ｐｌａｓｍａ  Ｄｉｓｐｌａｙ  Ｐａｎｅｌ）は、前面基板と背面基板の間に形成された隔壁が一つの単位セルを成すことで、各セル内にはネオン（Ｎｅ）、ヘリウム（Ｈｅ）またはネオン及びヘリウムの混合気体（Ｎｅ＋Ｈｅ）のような主放電気体と少量のキセノンを含む不活性ガスが充填されている。高周波電圧によって放電される時、不活性ガスは真空紫外線（Ｖａｃｕｕｍ  Ｕｌｔｒａｖｉｏｌｅｔ  ｒａｙｓ）を発生して、隔壁の間に形成された蛍光体を発光させて画像が具現される。このようなプラズマディスプレイパネルは、薄く軽い構成が可能なので次世代表示装置として脚光を浴びている。
【０００３】
図１は、一般的なプラズマディスプレイパネルの構造を示す図である。
【０００４】
図１に示すように、プラズマディスプレイパネルは、前面パネル１００と背面パネル１１０とを備え、前面パネル１００と背面パネルとの間に複数のセルを備えている。複数のセルには、放電セルを有している。前面パネル１００は、前面ガラス基板１０１と、スキャン電極１０２及びサステイン電極１０３からなる維持電極対と、維持電極対を覆う上部誘電体層１０４と、上部誘電体層１０４を覆う保護層１０５とを有している。即ち、プラズマディスプレイパネルは、画像がディスプレイされる表示面である前面ガラス１０１にスキャン電極１０２とサステイン電極１０３が対を成して形成された複数の維持電極対が配列された前面基板１００、及び、背面を成す背面ガラス１１１上に前述の複数の維持電極対と交差されるように複数のアドレス電極１１３が配列された背面基板１１０が一定距離を間に置いて平行に結合される。
前面基板１００は、一つの放電セルで相互放電させてセルの発光を維持するためのスキャン電極１０２及びサステイン電極１０３は、それぞれ透明なＩＴＯ（Ｉｎｄｉｕｍ  Ｔｈｉｎ Ｏｘｉｄｅ）物質で形成された透明電極（ａ）と、金属材質に製作されたバス電極（ｂ）とを備える。このようなスキャン電極及びサステイン電極１０３は、放電電流を制限して電極対の間を絶縁する一つ以上の誘電体層１０４によって覆われている。上部誘電体層１０４上面には、放電条件を容易にするために酸化マグネシウム（ＭｇＯ）を蒸着した保護層１０５が形成される。
【０００５】
背面基板１１０は、複数個の放電空間すなわち、放電セルを形成させるためのストライプタイプ(またはウェルタイプ)の隔壁１１２が平行を維持して配列される。また、アドレス放電を遂行して真空紫外線を発生させる複数のアドレス電極１１３が隔壁１１２に対して平行に配置される。背面基板１１０の上側面には、アドレス放電の時、画像表示のための可視光線を放出するＲ、Ｇ、Ｂ 蛍光体１１４が塗布される。アドレス電極１１３と蛍光体１１４との間には、アドレス電極１１３を保護するための下部誘電体層１１５が形成される。
【０００６】
図２は、従来プラズマディスプレイパネルのエネルギー回収回路図である。
【０００７】
図２を参照すれば、‘Ｗｅｂｅｒ（ＵＳＰ−５０８１４００）’によって提案されたプラズマディスプレイパネルのエネルギー回収装置（３０、３２）は、パネルキャパシター（Ｃｐ）を間に置いてお互いに対称的に設置される。ここで、パネルキャパシター（Ｃｐ）は、スキャン電極（Ｙ）とサステイン電極（Ｚ）の間に形成される静電容量（Ｃａｐａｃｉｔａｎｃｅ）を等価的に示すものである。このような、エネルギー回収装置において、第１エネルギー回収装置３０は、スキャン電極（Ｙ）にサステイン電圧を供給して、第２エネルギー回収装置３２は、第１エネルギー回収装置３０と交互に動作しながらサステイン電極（Ｚ）にサステイン電圧を供給する。
【０００８】
従来のプラズマディスプレイパネルのエネルギー回収装置（３０、３２）の構成を第１エネルギー回収装置３０を参照して説明する事にする。第１エネルギー回収装置３０は、パネルキャパシター（Ｃｐ）とソースキャパシター（Ｃｓ）の間に接続されたインダクター（Ｌ）と、ソースキャパシター（Ｃｓ）とインダクター（Ｌ）の間に互いに並列に接続された第１及び第３スイッチ（Ｓ１、Ｓ３）と、パネルキャパシター（Ｃｐ）とインダクター（Ｌ）の間の第１ノード（Ｎ１）とサステイン電圧源Ｖｓとの間に接続された第２スイッチ（Ｓ２）と、第１ノード（Ｎ１）と基底電圧源（ＧＮＤ）の間に接続された第４スイッチ（Ｓ４）と、を備える。
【０００９】
ソースキャパシター（Ｃｓ）は、サステイン放電の時、パネルキャパシター（Ｃｐ）に充電される電圧を回収して充電することと同時に、充電された電圧をパネルキャパシター（Ｃｐ）に再供給する。このようなソースキャパシター（Ｃｓ）には、サステイン電圧源Ｖｓの半分値にあたるＶｓ／２の電圧が充電される。インダクター（Ｌ）は、パネルキャパシター（Ｃｐ）とともに共振回路を形成する。このために、第１ないし第４スイッチ（Ｓ１乃至Ｓ４）は電流の流れを制御する。一方、第１及び第２スイッチ（Ｓ１、Ｓ２）とインダクター（Ｌ）との間にそれぞれ設置された第５及び第６ダイオード（Ｄ５、Ｄ６）は、電流の逆流を防止する。
【００１０】
図３は、第１エネルギー回収装置のスイッチのオン/オフタイミングと、パネルキャパシターの出力波形とを示すタイミング図及び波形図である。
【００１１】
ｔ１期間以前に、パネルキャパシター（Ｃｐ）には０Ｖの電圧が充電されると共に、ソースキャパシター（Ｃｓ）にはＶｓ／２の電圧が充電されていると仮定して動作過程を詳しく説明する。
【００１２】
ｔ１期間には、第１スイッチ（Ｓ１）がターンオン（Ｔｕｒｎ−ｏｎ）されて、ソースキャパシター（Ｃｓ）から第１スイッチ（Ｓ１）、インダクター（Ｌ）及びパネルキャパシター（Ｃｐ）につながる電流パスが形成される。これによって、ソースキャパシター（Ｃｓ）に充電されたＶｓ／２の電圧はパネルキャパシター（Ｃｐ）に供給される。この時、インダクター（Ｌ）とパネルキャパシター（Ｃｐ）とは直列共振回路を形成するから、パネルキャパシター（Ｃｐ）にはソースキャパシター（Ｃｓ）電圧の２倍であるサステイン電圧（Ｖｓ）が充電される。
【００１３】
ｔ２期間には、第１スイッチ（Ｑ１）はオン状態を維持しながら、第２スイッチ（Ｓ２）がターンオンされる。第２スイッチ（Ｓ２）がターンオンされると、サステイン電圧源Ｖｓからサステイン電圧（Ｖｓ）がスキャン電極（Ｙ）に供給される。スキャン電極（Ｙ）に供給されるサステイン電圧（Ｖｓ）はパネルキャパシター（Ｃｐ）の電圧がサステイン電圧（Ｖｓ）以下に落ちることを防止してサステイン放電が正常に起きるようにする。一方、パネルキャパシター（Ｃｐ）の電圧は、t1期間にサステイン電圧（Ｖｓ）まで上昇しているので、サステイン放電を起こすために外部から供給される駆動電力は最小化される。
【００１４】
ｔ３期間には、第１スイッチ（Ｓ１）がターンオフ（Ｔｕｒｎ−ｏｆｆ）される。この時、スキャン電極（Ｙ）は、ｔ３の期間中サステイン電圧（Ｖｓ）を維持する。
【００１５】
ｔ４期間には、第２スイッチ（Ｓ２）がターンオフされて、第３スイッチ（Ｓ３）がターンオンされる。第３スイッチ（Ｓ３）がターンオンされると、パネルキャパシター（Ｃｐ）からインダクター（Ｌ）及び第３スイッチ（Ｓ３）を通じてソースキャパシター（Ｃｓ）につながる電流パスが形成されて、パネルキャパシター（Ｃｐ）に充電された電圧がソースキャパシター（Ｃｓ）に回収される。この時、ソースキャパシター（Ｃｓ）にはＶｓ／２の電圧が充電される。
【００１６】
ｔ５期間には、第３スイッチ（Ｓ３）ターンオフされて、第４スイッチ（Ｓ４）がターンオンになる。第４スイッチ（Ｓ４）がターンオンされると、パネルキャパシター（Ｃｐ）と基底電圧源（ＧＮＤ）の間の電流パスが形成されてパネルキャパシター（Ｃｐ）の電圧が０Ｖに降下する。
【００１７】
ｔ６期間には、ｔ５状態を一定時間の間維持する。実際には、スキャン電極（Ｙ）及びサステイン電極（Ｚ）に供給される交流駆動パルスは、ｔ１乃至ｔ６期間が周期的に繰り返されながら得られるようになる。
【００１８】
一方、第２エネルギー回収装置３２は、第１エネルギー回収装置３０と交互的に動作しながらパネルキャパシター（Ｃｐ）に駆動電圧を供給するようになる。従って、パネルキャパシター（Ｃｐ）にはお互いに反対極性を持つサステイン電圧（Ｖｓ）が供給されるようになる。このようにパネルキャパシター（Ｃｐ）に互いに反対極性を持つサステイン電圧（Ｖｓ）が供給されることで放電セルでサステイン放電が起きるようになる。
【発明の開示】
【発明が解決しようとする課題】
【００１９】
前記のようなウェーバータイプ（Ｗｅｂｅｒ Ｔｙｐｅ）のエネルギー回収回路は、回路を動作させるための要するスイッチとダイオードが多いことから回路が複雑になり、プラズマディスプレイパネルの製造原価を高める一つの要因であった。そして、直列駆動方式だけで駆動しなければならない短所があった。
【００２０】
またＮＥＣ−Ｔｙｐｅのエネルギー回収回路(図示せず)は、パルスの入力が自由ではないため、エネルギーを格納すること、格納したエネルギーを回収することができない区間が存在してエネルギー回収效率の落ちる問題点があった。
【００２１】
本発明の目的は、多様な方式で動作を遂行するエネルギー回収回路を提供することにある。
【００２２】
また、本発明の他の目的は、一つの回路で直列共振方式と並列共振方式を共に適用することを可能にして、エネルギー回収效率を高めたプラズマディスプレイ装置駆動方法を提供することにある。
また、本発明の他の目的は、エネルギー回収回路のスイッチ及びダイオードを数を低減して回路構成を簡易にし、以てプラズマディスプレイパネルの製造コストを低減することにある。
【課題を解決するための手段】
【００２３】
本発明の一つの側面によるプラズマディスプレイ装置駆動方法は、サステイン電圧がスキャン電極に印加される段階と、前記スキャン電極に印加されたエネルギーをインダクター部を通じてサステイン電極に印加する段階と、サステイン電圧を前記サステイン電極に印加する段階と、前記サステイン電極に印加されたエネルギーを前記インダクター部を通じて前記スキャン電極に印加する段階と、を含むことを特徴とする。
この駆動方法では、スキャン電極にサステイン電圧が印加される段階においてスキャン電極がサステイン電圧まで充電される。次に、スキャン電極からインダクタ部を介してサステイン電極にエネルギーを印加する。これにより、スキャン電極の電位はサステイン電圧から下降し、サステイン電極の電位はサステイン電圧に向かって上昇する。次に、サステイン電極にサステイン電圧が印加される段階において、サステイン電極がサステイン電圧まで充電される。
その後、サステイン電極からインダクタ部を介してスキャン電極にエネルギーを印加し、上述した処理を繰り返せば、スキャン電極とサステイン電極との間でインダクタ部を介してエネルギーを供給及び回収することができる。従って、エネルギー回収用の別途のキャパシタを介在させずに、スキャン電極とサステイン電極との間でエネルギーの供給及び回収を行うことができる。この結果、エネルギー回収回路のスイッチやダイオード等の能動素子及び受動素子を低減することが可能であり、以て、プラズマディスプレイ装置の製造コストを低減することが可能となる。
スキャン電極とサステイン電極との間でのインダクタ部を介したエネルギーの供給及び回収は、並列共振により実行されることが可能である。また、インダクタ部を第１インダクタ及び第２インダクタから構成し、第１インダクタを介してエネルギー回収用のキャパシタとスキャン電極と導通させ、第２インダクタを介してエネルギー回収用のキャパシタとサステイン電極と導通させるように構成すれば、共通のキャパシタを用いて直列共振によって、スキャン電極またはサステイン電極のエネルギーを回収し、供給することができる。このように構成すれば、エネルギー回収回路を用いて、直列共振、並列共振の何れか、或いは、直列共振と並列共振とを併用して、エネルギーの回収及び供給が可能となる。結果、多様な方式で動作を遂行するエネルギー回収回路を提供することができる。また、一つの回路で直列共振方式と並列共振方式を共に適用することを可能にして、エネルギー回収效率を高めたプラズマディスプレイ装置駆動方法を提供することができる。また、同一のエネルギー回収用のキャパシタをスキャン電極及びサステイン電極に用いれば、エネルギー回収回路のスイッチやダイオード等の能動素子及び受動素子を低減することが可能であり、以て、プラズマディスプレイ装置の製造コストを低減することが可能である。
【００２４】
本発明の他の側面によるプラズマディスプレイ装置駆動方法は、エネルギー格納部のエネルギーを第１インダクターを通じてスキャン電極に印加する段階と、サステイン電圧をスキャン電極に印加する段階と、前記スキャン電極に供給されたエネルギーを前記第１インダクターを通じて前記エネルギー格納部に格納する段階と、前記スキャン電極をグラウンド電圧レベルで維持する段階と、エネルギー格納部のエネルギーを第２インダクターを通じてサステイン電極に印加する段階と、サステイン電圧をサステイン電極に印加する段階と、前記サステイン電極に供給されたエネルギーを前記第２インダクターを通じて前記エネルギー格納部に格納する段階を含むことを特徴とする。
この駆動方法では、エネルギー格納部は第１インダクタを介してスキャン電極と導通されると共に、同一のエネルギー格納部が第２インダクタを介してサステイン電極と導通される。即ち、スキャン電極とサステイン電極とに共通なエネルギー回収回路を用いて、エネルギーの回収及び供給を行う。従って、エネルギー回収回路のスイッチやダイオード等の能動素子及び受動素子を低減することが可能であり、以て、プラズマディスプレイ装置の製造コストを低減することが可能となる。
スキャン電極とサステイン電極との間でのインダクタ部を介したエネルギーの供給及び回収は、並列共振により実行されることが可能である。また、インダクタ部を第１インダクタ及び第２インダクタから構成し、第１インダクタを介してエネルギー回収用のキャパシタとスキャン電極と導通させ、第２インダクタを介してエネルギー回収用のキャパシタとサステイン電極と導通させるように構成すれば、共通のキャパシタを用いて直列共振によってスキャン電極またはサステイン電極のエネルギーを回収し供給することができる。このように構成すれば、エネルギー回収回路を用いて、直列共振、並列共振の何れか、或いは、直列共振と並列共振とを併用してエネルギーの回収及び供給が可能となる。結果、多様な方式で動作を遂行するエネルギー回収回路を提供することができる。また、一つの回路で直列共振方式と並列共振方式を共に適用することを可能にして、エネルギー回収效率を高めたプラズマディスプレイ装置駆動方法を提供することができる。
【００２５】
本発明のまた他の側面によるプラズマディスプレイ装置駆動方法は、エネルギー格納部のエネルギーを第１インダクターを通じてスキャン電極に印加する段階と、サステイン電圧を前記スキャン電極に印加する段階と、前記スキャン電極に印加されたエネルギーを前記第１インダクターと第２インダクターを通じてサステイン電極に印加する段階と、前記サステイン電圧を前記サステイン電極に印加する段階と、前記サステイン電極に印加されたエネルギーを前記第１インダクターと前記第２インダクターを通じて前記スキャン電極に印加する段階と、前記サステイン電圧を前記スキャン電極に印加する段階と、前記スキャン電極に印加されたエネルギーを前記第１インダクターを通じて前記エネルギー格納部に格納する段階を含むことを特徴とする。
この駆動方法では、エネルギー格納部から第１インダクタを介してスキャン電極に印加し、その後、スキャン電極にサステイン電圧を印加することで、スキャン電極をサステイン電圧まで充電する。次に、スキャン電極から、第１及び第２インダクタを介して、サステイン電極にエネルギーを印加し、その後、サステイン電極にサステイン電圧を印加することで、サステイン電極をサステイン電圧まで充電する。次に、サステイン電極から、第１及び第２インダクタを介して、スキャン電極にエネルギーを印加し、その後、スキャン電極にサステイン電圧を印加することで、スキャン電極をサステイン電圧まで充電する。次に、スキャン電極から第１インダクタを介してエネルギー格納部にエネルギーを回収（格納）する。以上の処理を繰り返すことで、エネルギー格納部とスキャン電極と間、スキャン電極とサステイン電極との間で、エネルギーの供給及び回収が行われる。エネルギー格納部とスキャン電極との間では直列共振によってエネルギーの供給及び回収が行われる。スキャン電極とサステイン電極との間では並列共振によってエネルギーの供給及び回収が行われる。
この駆動方法では、スキャン電極及びサステイン電極のそれぞれにエネルギー格納部を設ける必要がなく、回路構成が簡略化されて、スイッチやダイオードのような能動素子及び受動素子を低減することができる。結果、プラズマディスプレイ装置の製造コストを低減することができる。
また、エネルギー回収回路を用いて、直列共振、並列共振の何れか、或いは、直列共振と並列共振とを併用して、エネルギーの回収及び供給が可能となる。結果、多様な方式で動作を遂行するエネルギー回収回路を提供することができる。また、一つの回路で直列共振方式と並列共振方式を共に適用することを可能にして、エネルギー回収效率を高めたプラズマディスプレイ装置駆動方法を提供することができる。
【００２６】
本発明の一側面に係るエネルギー回収回路は、第１電極及び第２電極を含む維持電極対を備えたプラズマディスプレイ装置のエネルギー回収回路であって、第１電極と第１電圧源とを接続する第１スイッチと、第１電極及び第１スイッチと接続された第２スイッチと、第２電極と第２電圧源とを接続する第３スイッチと、第２電極及び第３スイッチと接続された第４スイッチと、第２スイッチを介して第１電極と接続されると共に、第４スイッチを介して第２電極と接続されたインダクタ部と、を備える。
例えば、第１電極はスキャン電極、第２電極はサステイン電極、第１及び第２電圧源はサステイン電圧源とすることが可能である。
このエネルギー回収回路によれば、上述した並列共振によるエネルギー回収及び供給を行うことができる。
また、エネルギー回収用のキャパシタを介さずにエネルギーの回収及び供給を行うので、スイッチやダイオード等の能動素子及び受動素子を低減することが可能であり、以て、プラズマディスプレイ装置の製造コストを低減することが可能となる。
上記エネルギー回収回路において、インダクタ部は、第２スイッチに接続された第１インダクタと、第４スイッチに接続された第２インダクタとを含み、第１インダクタを介して第１電極と接続されると共に、第２インダクタを介して第２電極と接続されるエネルギー格納部を更に備えることが可能である。この場合、共通のエネルギー格納部（キャパシタ）を用いて直列共振によって、スキャン電極またはサステイン電極のエネルギーを回収し、供給することができる。
このように構成すれば、エネルギー回収回路を用いて、直列共振、並列共振の何れか、或いは、直列共振と並列共振とを併用して、エネルギーの回収及び供給が可能となる。結果、多様な方式で動作を遂行するエネルギー回収回路を提供することができる。また、一つの回路で直列共振方式と並列共振方式を共に適用することを可能にして、エネルギー回収效率を高めたプラズマディスプレイ装置駆動方法を提供することができる。また、同一のエネルギー回収用のキャパシタをスキャン電極及びサステイン電極に用いれば、エネルギー回収回路のスイッチやダイオード等の能動素子及び受動素子を低減することが可能であり、以て、プラズマディスプレイ装置の製造コストを低減することが可能である。
前記インダクター部は第１インダクターと第２インダクターを含むことを特徴とする。
【００２７】
前記第１インダクターはエネルギー回収のためのエネルギー格納部とスキャン電極を連結することを特徴とする。
【００２８】
前記第２インダクターはエネルギー回収のためのエネルギー格納部とサステイン電極を連結することを特徴とする。
【００２９】
前記エネルギー格納部はおおよそサステイン電圧の半分にあたるエネルギーを格納することを特徴とする。
【００３０】
前記第１インダクターはエネルギー格納部とスキャン電極を連結することを特徴とする。
【００３１】
前記第２インダクターはエネルギー格納部とサステイン電極を連結することを特徴とする。
【００３２】
前記エネルギー格納部は回収されたエネルギーの格納のためのキャパシターと、エネルギー回収のためのスイチング手段を含むことを特徴とする。
【００３３】
前記スイチング手段はダイオードを含むことを特徴とする。
【００３４】
前記第１インダクターはエネルギー格納部とスキャン電極を連結することを特徴とする。
【００３５】
前記第２インダクターはエネルギー格納部とサステイン電極を連結することを特徴とする。
【００３６】
前記エネルギー格納部は回収されたエネルギー格納のためのキャパシター及びエネルギー回収のためのスイチング手段を含むことを特徴とする。
【００３７】
前記スイチング手段はダイオードを含むことを特徴とする。
【００３８】
前記エネルギー格納部はおおよそサステイン電圧の半分にあたるエネルギーを格納することを特徴とする。
【００３９】
前記第１インダクターは第１スイッチによってスキャン電極と繋がれることを特徴とする。
【００４０】
前記第２インダクターは第２スイッチによってサステイン電極と繋がれることを特徴とする。
【００４１】
前記第１スイッチはダイオードを備えることを特徴とするプラズマディスプレイ装置駆動方法。
【００４２】
前記第２スイッチはダイオードを備えることを特徴とする。
【発明の効果】
【００４３】
本発明によれば、多様な方式で動作を遂行するエネルギー回収回路を提供することができる。
本発明によれば、エネルギー回収回路の構成を簡略化して、プラズマディスプレイ装置の製造コストを低減することができる。
本発明によれば、一つの回路で直列、並列または直/並列の方式によるサステインパルスの具現が可能であり、エネルギー回収效率を増加させることができる。
【発明を実施するための最良の形態】
【００４４】
以下では、本発明による具体的な実施形態を、添付された図面を参照して説明する。
【００４５】
（１）第１実施形態
（エネルギー回収回路の構成）
図４は、本発明によるプラズマディスプレイ装置のエネルギー回収回路図である。
【００４６】
図４を参照すれば、本発明によるプラズマディスプレイ装置は、スキャン電極（Ｙ）及びサステイン電極（Ｚ）と、スキャン電極（Ｙ）とサステイン電極（Ｚ）との間に等価的に形成される容量成分であるパネルキャパシタ（Ｃｐ）とを備えるプラズマディスプレイパネルと、前記スキャン電極（Ｙ）またはサステイン電極（Ｚ）に直列または直/並列共振を具現してサステインパルスを供給する駆動部２００と、を含む。
【００４７】
駆動部２００は、スキャン電極（Ｙ）に繋がれて第１サステイン電圧を印加する第１サステイン電圧印加部２１１と、サステイン電極（Ｚ）に繋がれて第１サステイン印加電圧より低い第３電圧を印加して電流パスを形成する第１経路電圧印加部２１２と、サステイン電極（Ｚ）に繋がれて第２サステイン電圧を印加する第２サステイン電圧印加部２２１と、スキャン電極（Ｙ）に繋がれて第２サステイン印加電圧より低い第３電圧を印加して電流パスを形成する第２経路電圧印加部２２２と、格納されたエネルギーをパネルの電極（Ｃｐ）に供給して回収するエネルギー格納部２６０と、パネルキャパシタ（Ｃｐ）と直列または直/並列共振電流を形成させる第１インダクター部２４０と第２インダクター部２４１と、直列、並列または直/並列共振電流を制御する共振制御スイッチ部２３０、及び、エネルギー格納部２６０に供給されたエネルギーの供給または回収を制御するエネルギー入出力制御スイッチ部２５０と、を含む。
【００４８】
第１サステイン電圧印加部２１１は、第１サステイン電圧の印加を調節する第１サステイン電圧印加スイッチ（Ｙ＿ＳＵＳ＿ＵＰ）を含む。
第１経路電圧印加部２１２は、第１サステイン印加電圧より低い第３電圧の印加を調節する第１経路電圧印加スイッチ（Ｚ＿ＳＵＳ＿ＤＮ）を含む。
【００４９】
第２サステイン電圧印加部２２１は、第２サステイン電圧の印加を調節する第２サステイン電圧印加スイッチ（Ｚ＿ＳＵＳ＿ＵＰ）を含む。
第２経路電圧印加部２２２は、第２サステイン印加電圧より低い第３電圧の印加を調節する第２経路電圧印加スイッチ（Ｙ＿ＳＵＳ＿ＤＮ）を含む。
【００５０】
第３電圧はグラウンドレベルの電圧（ＧＮＤ）であるのが望ましい。
第１インダクター部２４０は、第１インダクター（Ｌ１）を含む。第２インダクター部２４１は、第２インダクター（Ｌ２）を含む。エネルギー格納部２６０は、ソースキャパシター（Ｃｓ）を含む。
【００５１】
共振制御スイッチ部２３０は、直列、並列または直/並列共振によってスキャン電極（Ｙ）に流れる電流を制御するための第１共振制御スイッチ（ＰＡＳＳ＿Ｙ）と、直列、並列または直/並列共振によってサステイン電極（Ｚ）に流れる電流を制御するための第２共振制御スイッチ（ＰＡＳＳ＿Ｚ）と、を含む。
【００５２】
エネルギー入出力制御スイッチ部２５０は、エネルギー格納部２６０に供給されたエネルギーの供給または回収を制御するエネルギー入出力制御スイッチ（ＥＲ＿ＤＮ）を含む。
【００５３】
駆動部２００の連結関係は次のようである。
【００５４】
第１共振制御スイッチ（ＰＡＳＳ＿Ｙ）の一端は、スキャン電極（Ｙ）、第１サステイン電圧印加部２１１及び第２経路電圧印加部２２２とに共通に接続されている。第１共振制御スイッチ（ＰＡＳＳ＿Ｙ）の他端は、第１共振インダクター（Ｌ１）の一端と接続されている。
第１インダクター（Ｌ１）の一端は、第１共振制御スイッチ（ＰＡＳＳ＿Ｙ）の上記他端に接続されており、第１インダクター（Ｌ１）の他端は、第２インダクター（Ｌ２）の一端と接続されている。
【００５５】
第２インダクター（Ｌ２）の一端は、第１インダクター（Ｌ１）の上記他端及び入出力制御スイッチ（ＥＲ＿ＤＮ）２５０の一端に接続されている。第２インダクター（Ｌ２）の他端は、第２共振制御スイッチ（ＰＡＳＳ＿Ｚ）の一端と接続されている。
第２共振制御スイッチ（ＰＡＳＳ＿Ｚ）の一端は、第２インダクター（Ｌ２）の上記他端に接続されており、第２共振制御スイッチ（ＰＡＳＳ＿Ｚ）の他端は、サステイン電極（Ｚ）、第２サステイン電圧印加部２２１及び第１経路電圧印加部２１２と共通に接続されている。
【００５６】
エネルギー入出力制御スイッチ（ＥＲ＿ＤＮ）の一端は、第１インダクター（Ｌ１）と第２インダクター（Ｌ２）との間に接続されている。エネルギー入出力制御スイッチ（ＥＲ＿ＤＮ）の他端は、ソースキャパシター（Ｃｓ）の一端と接続されている。
ソースキャパシタ（Ｃｓ）の一端は、エネルギー入出力制御スイッチ（ＥＲ＿ＤＮ）の他端と接続されており、キャパシタ（Ｃｓ）の他端はグランド電位（ＧＮＤ）に接続されている。
【００５７】
第１サステイン電圧印加スイッチ（Ｙ＿ＳＵＳ＿ＵＰ）は、両端に並列に繋がれた第１サステイン逆電流防止ダイオードを含む。第１サステイン逆電流防止ダイオードのアノード（Ａｎｏｄｅ）はスキャン電極（Ｙ）側に接続されており、第１サステイン逆電流防止ダイオードのカソード（Ｃａｔｈｏｄ）はサステイン電圧源（Ｖｓ）側に接続されている。
【００５８】
第１経路電圧印加スイッチ（Ｚ＿ＳＵＳ＿ＤＮ）は、両端に並列に繋がれた第１経路逆電流防止ダイオードを含む。第１サステイン逆電流防止ダイオードのカソードはサステイン電極（Ｚ）側に接続されており、第１サステイン逆電流防止ダイオードのアノードは、グランド電位（ＧＮＤ）に接続されている。
【００５９】
第２サステイン電圧印加スイッチ（Ｚ＿ＳＵＳ＿ＵＰ）は、両端に並列に繋がれた第２サステイン逆電流防止ダイオードを含む。第２サステイン逆電流防止ダイオードのアノードはサステイン電極（Ｚ）側に接続されており、第２サステイン逆電流防止ダイオードのカソードは、サステイン電圧源（Ｖｓ）に接続されている。
【００６０】
第２経路電圧印加スイッチ（Ｙ＿ＳＵＳ＿ＤＮ）は、両端に並列に繋がれた第２経路逆電流防止ダイオードを含む。第２サステイン逆電流防止ダイオードのカソードはスキャン電極（Ｙ）側に接続されており、第２サステイン逆電流防止ダイオードのアノードはグランド電位（ＧＮＤ）側に接続されている。
【００６１】
前記それぞれの逆電流防止ダイオードは、回路に逆電流が流れて発生する可能性がある誤動作を防止して、安定的な回路駆動をするために設けられる。一般的に使われるスイッチ素子であるトランジスター（ＴＲ）、電界效果トランジスター（ＦＥＴ）、双極接合トランジスター（ＢＪＴ）などは、それ自体に、逆電流防止機能をするビルトイン-ダイオード（Ｂｕｉｌｔ−ｉｎ−ｄｉｏｄｅ：内蔵ダイオード）を含むため、別途、逆電流防止ダイオードを連結する必要がなくなる。しかしそうではないスイッチ素子を使う場合には、別途の逆電流防止ダイオードをスイッチのドレーン（Ｄｒａｉｎ）とソース（Ｓｏｕｒｃｅ）との間にダイオードを並列で連結するのが望ましい。本発明の実施形態図４では、前記列挙された多様なスイッチ素子の内のひとつである電界效果トランジスター（ＦＥＴ）を使ったものである。
【００６２】
第１共振制御スイッチ（ＰＡＳＳ＿Ｙ）と第１インダクター（Ｌ１）との間には、サステイン電圧レベルＶｓを維持するようにする第１過電流遮断部Ｄ１の一端が接続されている。第２共振制御スイッチ（ＰＡＳＳ＿Ｚ）と第２インダクター（Ｌ２）との間には、サステイン電圧レベルＶｓを維持するようにする第２過電流遮断部（Ｄ３）の一端が接続されている。第１インダクター（Ｌ１）と第２インダクター（Ｌ２）との間には、第３過電流遮断部（Ｄ３）の一端が接続されている。
即ち、駆動部２００は、第１過電流遮断部Ｄ１、第２過電流遮断部Ｄ２、第３過電流遮断部Ｄ３を含むことが可能である。
【００６３】
第１共振制御スイッチ（ＰＡＳＳ＿Ｙ）は、両端に並列に繋がれた第１逆電流防止ダイオードを含む。第１逆電流防止ダイオードのアノードはスキャン電極（Ｙ）側に接続されており、第１逆電流防止ダイオードのカソードは第１インダクター（Ｌ１）側に接続されている。
【００６４】
また、第２共振制御スイッチ（ＰＡＳＳ＿Ｚ）は、両端に並列に接続された第２逆電流防止ダイオードを含む。第２逆電流防止ダイオードのアノードはサステイン電極(Z)側に接続されており、第２逆電流防止ダイオードのカソードは第２インダクタ（Ｌ２）側に接続されている。
【００６５】
エネルギー入出力制御スイッチ（ＥＲ＿ＤＮ）は、両端に第３逆電流防止ダイオードが並列に接続されている。第３逆電流防止ダイオードのアノードはキャパシター（Ｃｓ）側に接続されており、第３逆電流防止ダイオードのカソードは第１インダクタ（Ｌ１）及び第２インダクタ（Ｌ２）側に接続されている。
【００６６】
各共振制御スイッチ（ＰＡＳＳ＿Ｙ、ＰＡＳＳ＿Ｚ）の逆電流防止ダイオードとエネルギー入出力制御スイッチ（ＥＲ＿ＤＮ）の逆電流防止ダイオードとは、上述した各電圧印加スイッチの逆電流防止ダイオードとは異なり、駆動部２００から直/並列共振が発生される時、直/並列共振の時に発生する電流のパスを形成したり逆電流を防止する役目をする。
【００６７】
並列共振の時を例であげれば、並列共振によってスキャン電極（Ｙ）からサステイン電極（Ｚ）に第１サステイン電圧にあたるエネルギーが伝達する時形成される電流は、第１共振制御スイッチ（ＰＡＳＳ＿Ｙ）の第１逆電流防止ダイオードを通じて流れるようになる。
これとは反対に、並列共振によってサステイン電極（Ｚ）からスキャン電極（Ｙ）に第２サステイン電圧にあたるエネルギーが伝達する時形成される電流は、第２共振制御スイッチ（ＰＡＳＳ＿Ｚ）の第２逆電流防止ダイオードを通じて流れるようになる。
【００６８】
したがって、第１共振制御スイッチ（ＰＡＳＳ＿Ｙ）の第１逆電流防止ダイオードによってスキャン電極（Ｙ）からサステイン電極（Ｚ）に並列共振電流を流すための別途のスイチングを要しなくなる。第２共振制御スイッチ（ＰＡＳＳ＿Ｙ）の第２逆電流防止ダイオードも前記第１逆電流防止ダイオードと同様に、別途のスイッチングなしに、サステイン電極（Ｚ）からスキャン電極（Ｙ）に電流を通過させる。
第１逆流防止ダイオードは、第１共振制御スイッチ（ＰＡＳＳ＿Ｙ）の内蔵ダイオードとすることが可能である。第２逆流防止ダイオードは、第２共振制御スイッチ（ＰＡＳＳ＿Ｚ）の内蔵ダイオードとすることが可能である。第３逆流防止ダイオードは、エネルギー入出力制御スイッチ（ＥＲ＿ＤＮ）の内蔵ダイオードとすることが可能である。
【００６９】
したがって、第１逆電流防止ダイオードと第２逆電流防止ダイオードの方向によってスイチングする方法が変わるようになる。
【００７０】
したがって、第１逆電流防止ダイオードと第２逆電流防止ダイオードの方向が変わるようになれば、第１共振制御スイッチ（ＰＡＳＳ＿Ｙ）と第２共振制御スイッチ（ＰＡＳＳ＿Ｚ）のスイチング方法が互いに変わるようになる。
また、インダクター部２４０，２４１（Ｌ１、Ｌ２）と各共振制御スイッチ部（ＰＡＳＳ＿Ｙ、ＰＡＳＳ＿Ｚ）と繋がれた過電流遮断部に対して説明すると、次のようである。
【００７１】
サステイン電圧レベルＶｓを維持するようにする第１過電流遮断部Ｄ１の一端が共振制御スイッチ部２３０と第１インダクター部２４０の間に繋がれてサステイン電圧レベルＶｓを維持するようにする第２過電流遮断部Ｄ３の一端が第２共振制御スイッチ（ＰＡＳＳ＿Ｚ）と前記第２インダクター部（Ｌ２）の間に繋がれて前記第１インダクター部（Ｌ１）と第２インダクター部（Ｌ２）の間に第３過電流遮断部Ｄ２の一端が繋がれる。第１乃至第３過電流遮断部Ｄ１〜Ｄ３は、各々、アノード端子の電圧をサステイン電圧Ｖｓ以下に抑制することで過電流を遮断する。
【００７２】
これから説明する本発明の実施形態は、このような多様なスイチング方法の内、望ましい１実施形態を示すものである。
【００７３】
（エネルギー回収回路の動作）
図５は、本発明を利用した並列共振の時のスイッチのオン/オフタイミングとパネルキャパシターの電圧波形を示すタイミング図及び波形図である。
【００７４】
図５を中心に、図６乃至図１１を参照すれば、スキャン電極（Ｙ）及びサステイン（Ｚ）電極を含むプラズマディスプレイパネル（Ｃｐ）の駆動方法は、スキャン電極（Ｙ）に第１サステイン電圧が印加されて第１サステイン電圧が維持される段階と、スキャン電極（Ｙ）からサステイン電極（Ｚ）に第１サステイン電圧にあたるエネルギーを並列共振を通じて供給する第１並列共振段階と、サステイン電極（Ｙ）に第２サステイン電圧が印加されて第２サステイン電圧が維持される段階と、サステイン電極（Ｚ）からスキャン電極（Ｙ）に第２サステイン電圧にあたるエネルギーを並列共振を通じて供給する第２並列共振段階と、を含む。
【００７５】
（第１サステイン電圧維持段階）
図６は、図５に示す第１サステイン電圧維持段階（Ｔ１期間）での回路動作図である。
【００７６】
図６、図５を参照すれば、第１サステイン電圧（この例では、サステイン電圧Ｖｓ）が維持される段階（Ｔ１期間）では、第１サステイン電圧供給制御部２１１によって第１サステイン電圧Ｖｓがスキャン電極（Ｙ）に印加される。この時、サステイン電極（Ｚ）の電圧は、第３電圧としてのグラウンドレベルの電圧（ＧＮＤ）に維持される。
【００７７】
第１サステイン電圧が維持される段階（Ｔ１期間）は次のように動作される。
【００７８】
スキャン電極（Ｙ）に接続された第１サステイン電圧印加スイッチ（Ｙ＿ＳＵＳ＿ＵＰ）がターンオン（Ｔｕｒｎ−Ｏｎ）されて、サステイン電極（Ｚ）に接続された第１経路電圧印加スイッチ（Ｚ＿ＳＵＳ＿ＤＮ）がターンオン（Ｔｕｒｎ−Ｏｎ）される。
これにより、第１サステイン電圧印加部２１１、パネルキャパシタ（Ｃｐ）、第１経路電圧印加部２１２の間に電流パスが形成される。
前記のような電流パスを第１経路と定義すると、第１経路が形成される間にスキャン電極（Ｙ）に第１サステイン電圧Ｖｓにあたるエネルギーまで充電され、維持される。
このとき、スキャン電極（Ｙ）は、サステイン電圧印加スイッチ（Ｙ＿ＳＵＳ＿ＵＰ）を介してサステイン電圧源（Ｖｓ）に接続され、サステイン電極（Ｚ）は、第１経路電圧印加スイッチ（Ｚ＿ＳＵＳ＿ＤＮ）を介してグランド電位（ＧＮＤ）に接続される。この結果、スキャン電極（Ｙ）は第１サステイン電圧になり、サステイン電極（Ｚ）はグランド電位（ＧＮＤ）になる。この結果、スキャン電極の電圧は第１サステイン電圧Ｖｓになり、サステイン電極の電圧はグランド電位（ＧＮＤ）になる。即ち、パネルキャパシタ（Ｃｐ）の電圧は＋Ｖｓになり、パネルキャパシタ（Ｃｐ）には第１サステイン電圧（Ｖｓ）に相当するエネルギーが充電され、維持される。
【００７９】
第１サステイン電圧が維持される段階では、スキャン電極の電圧が第１サステイン電圧Ｖｓに維持される時間は、第１サステイン電圧がスキャン電極に印加される時間より長いのが望ましい。
具体的には、図５に示すように、Ｔ１期間の後半において、第１サステイン電圧印加スイッチ（Ｙ＿ＳＵＳ＿ＵＰ）、第１経路電圧印加スイッチ（Ｚ＿ＳＵＳ＿ＤＮ）をオフする時点と、第２共振制御スイッチ（ＰＡＳＳ＿Ｚ）をオンする時点との間に、パネルキャパシタＣｐをフローティング状態にする期間を設ける。
【００８０】
もし、第１経路電圧印加スイッチ（Ｚ＿ＳＵＳ＿ＤＮ）のターンオン（Ｔｕｒｎ Ｏｎ）時間が第１並列共振段階まで続けば、スキャン電極（Ｙ）に格納されたエネルギーは第１経路電圧印加スイッチ（Ｚ＿ＳＵＳ＿ＤＮ）を通じてグランド電位（ＧＮＤ）に抜けるからである。このような場合、回路は所望の動作通りに駆動されなくなる。したがって、回路の安定的駆動のためには、第１経路電圧印加スイッチ（Ｚ＿ＳＵＳ＿ＤＮ）を第１並列共振が起きる前にターンオフ（Ｔｕｒｎ−Ｏｆｆ）させる必要がある。即ち、第１経路電圧印加スイッチ（Ｚ＿ＳＵＳ＿ＤＮ）のターンオンより前に、第１経路電圧印加スイッチ（Ｚ＿ＳＵＳ＿ＤＮ）をオフする。
【００８１】
（第１並列共振段階）
図７は、図５に示す第１並列共振段階（Ｔ２期間）での回路動作図である。
【００８２】
図７と図５を参照すれば、第１並列共振段階（Ｔ２期間）では、スキャン電極（Ｙ）からサステイン電極（Ｚ）に並列共振電流が流れて、スキャン電極（Ｙ）に格納されていたエネルギーがサステイン電極（Ｚ）に供給される。
【００８３】
第１並列共振段階（Ｔ２期間）では次のように動作される。
【００８４】
第１共振制御スイッチ（ＰＡＳＳ＿Ｙ）をオフ状態のまま、サステイン電極（Ｚ）に接続された第２共振制御スイッチ（ＰＡＳＳ＿Ｚ）がターンオンされる。このとき、第１逆流防止ダイオードが順バイアスされる。
これにより、スキャン電極（Ｙ）、第１逆電流防止ダイオード、第１インダクター（Ｌ１）、第２インダクター（Ｌ２）、第２共振制御スイッチ（ＰＡＳＳ＿Ｚ）、サステイン電極（Ｙ）につながる並列共振による電流パスが形成される。
【００８５】
前記のように第１並列共振電流パスが形成されれば、第１サステイン電圧Ｖｓにあたるエネルギーがスキャン電極（Ｙ）からサステイン電極（Ｚ）に伝達し、印加される。
【００８６】
したがって、スキャン電極（Ｙ）の電圧は、第１サステイン電圧Ｖｓからグラウンド電位（ＧＮＤ）に低くなり、サステイン電極（Ｚ）の電圧はグラウンド電位（ＧＮＤ）から第１サステイン電圧Ｖｓに高くなることで、パネルキャパシタ（Ｃｐ）に印加される電圧の極性が変わるようになる。即ち、図５のＴ２期間に示すように、パネルキャパシタ（Ｃｐ）の両端の電圧（サステイン電極を基準としたスキャン電極の電圧）が、正の電圧から負の電圧に反転する。
【００８７】
第１並列共振段階では、スキャン電極（Ｙ）の極性が変わる第１並列共振時間は、スキャン電極（Ｙ）からサステイン電極（Ｚ）に並列共振電流が流れる時間より短いのが望ましい。
具体的には、図５のＴ２〜Ｔ３期間に示すように、第１共振制御スイッチ（ＰＡＳＳ＿Ｚ）がオン状態からオフ状態に切り替わる前に、第２サステイン電圧印加スイッチ（Ｚ＿ＳＵＳ＿ＵＰ）及び第２経路電圧印加スイッチ（Ｙ＿ＳＵＳ＿ＤＮ）をターンオンする。
言い換えれば、第１共振制御スイッチ（ＰＡＳＳ＿Ｚ）による並列共振電流が０になる前に、第２サステイン電圧印加スイッチ（Ｚ＿ＳＵＳ＿ＵＰ）及び第２経路電圧印加スイッチ（Ｙ＿ＳＵＳ＿ＤＮ）によりパネルキャパシタ（Ｃｐ）の電圧を−Ｖｓまで下降させて、並列共振段階（Ｔ２期間）を終了させる。
サステイン電圧源（Ｖｓ）が第２サステイン電圧印加スイッチ（Ｚ＿ＳＵＳ＿ＵＰ）、第２共振制御スイッチ（ＰＡＳＳ＿Ｚ）を通じて第１共振制御スイッチ（ＰＡＳＳ＿Ｙ）の第１逆流防止ダイオードと接続されたとしても、第１逆流防止ダイオードが逆バイアスされる。従って、サステイン電圧源（Ｖｓ）、第２サステイン電圧印加スイッチ（Ｚ＿ＳＵＳ＿ＵＰ）から、第２共振制御スイッチ（ＰＡＳＳ＿Ｚ）及び第１逆流防止ダイオードを介して電流が流れず、サステイン電極（Ｚ）のみに電流が流れる。
【００８８】
上記のように第１並列共振段階（Ｔ２期間）を制御するスイッチは、第２共振制御スイッチ（ＰＡＳＳ＿Ｚ）になる。したがって、第２共振制御スイッチ（ＰＡＳＳ＿Ｚ）のターンオン(Turn On)された時間が短ければ第１並列共振が充分に発生されることができない。一方、スキャン電極（Ｙ）からサステイン電極（Ｚ）に並列共振によってエネルギーが充分に伝達されるようにするため、第２共振制御スイッチ（ＰＡＳＳ＿Ｚ）のターンオン（Ｔｕｒｎ Ｏｎ）時間が第２サステイン電圧維持段階（Ｔ３期間）まで維持されるようにすることは、回路の安定的動作に役に立つ。第２サステイン電圧維持段階（Ｔ３期間）で第２共振制御スイッチ（ＰＡＳＳ＿Ｚ）がターンオンされた状態だと言っても、サステイン電極（Ｚ）に格納されたエネルギーは第２サステイン電圧印加による電流パス以外にどんな電流パスも形成されなかったから、そのまま維持される。また、第２サステイン電圧供給制御部２２１によってエネルギーの補充を受けるから、第２共振制御スイッチ（ＰＡＳＳ＿Ｚ）のターンオン時間を充分に保持しても、第２サステイン電圧維持段階（Ｔ３期間）に何らの影響がなく、回路の安定的駆動に役に立つ。
【００８９】
（第２サステイン電圧維持段階）
図８は、図５に示す第２サステイン電圧維持段階（Ｔ３期間）での回路動作図である。
【００９０】
図８と図５を参照すれば、第２サステイン電圧（この例では、サステイン電圧Ｖｓ）が維持される段階（Ｔ３期間）では、第２サステイン電圧供給制御部２１１によってサステイン電極（Ｚ）に第２サステイン電圧Ｖｓが印加される。
【００９１】
第２サステイン電圧の維持される段階（Ｔ３期間）は次のように動作される。
【００９２】
サステイン電極（Ｚ）に接続された第２サステイン電圧印加スイッチ（Ｚ＿ＳＵＳ＿ＵＰ）がターンオン（Ｔｕｒｎ−Ｏｎ）されて、スキャン電極（Ｙ）に繋がれた第２経路電圧印加スイッチ（Ｙ＿ＳＵＳ＿ＤＮ）がターンオン（Ｔｕｒｎ−Ｏｎ）される。
これにより、第２サステイン電圧印加部２２１、パネルキャパシタ（Ｃｐ）、第２経路電圧印加部２２２の間に電流パスが形成される。
【００９３】
前記のような電流パスを第２経路と定義すると、第２経路が形成される間に、サステイン電極（Ｚ）に第２サステイン電圧にあたるエネルギーまで充電され、維持される。
【００９４】
したがって、第１並列共振によってパネルキャパシタ（Ｃｐ）に反対極性に充電されたエネルギーに第２サステイン電圧が加えられて、パネルキャパシタ（Ｃｐ）を第２サステイン電圧Ｖｓに維持するようになる。この時、サステイン電極（Ｚ）は第２サステイン電圧印加スイッチ（Ｚ＿ＳＵＳ＿ＵＰ）を介してサステイン電圧源（Ｖｓ）に接続され、スキャン電極（Ｙ）は第２経路電圧印加スイッチ（Ｙ＿ＳＵＳ＿ＤＮ）を介してグランド電位（ＧＮＤ）に接続される。この結果、サステイン電極（Ｚ）の電圧は第２サステイン電圧になり、スキャン電極（Ｙ）の電圧はグランド電位（ＧＮＤ）になる。即ち、パネルキャパシタ（Ｃｐ）の電圧は−Ｖｓになり、パネルキャパシタ（Ｃｐ）には第２サステイン電圧（Ｖｓ）に相当するエネルギーが充電され、維持される。
【００９５】
第２サステイン電圧が維持される段階（Ｔ３期間）では、サステイン電極（Ｚ）の電圧が第２サステイン電圧Ｖｓで維持される時間は、第２サステイン電圧Ｖｓがサステイン電極（Ｚ）に印加される時間より長いのが望ましい。
具体的には、図５に示すように、Ｔ３期間の後半において、第２サステイン電圧印加スイッチ（Ｚ＿ＳＵＳ＿ＵＰ）、第２経路電圧印加スイッチ（Ｙ＿ＳＵＳ＿ＤＮ）をターンオフする時点と、第１共振制御スイッチ（ＰＡＳＳ＿Ｙ）をターンオンする時点との間に、パネルキャパシタＣｐをフローティング状態にする期間を設ける。
【００９６】
もし第２サステイン電圧印加スイッチ（Ｚ＿ＳＵＳ＿ＵＰ）と第２経路電圧印加スイッチ（Ｙ＿ＳＵＳ＿ＤＮ）が第２並列共振段階までターンオン（Ｔｕｒｎ Ｏｎ）状態を維持すれば、第２並列共振段階（Ｔ４期間）でサステイン電極（Ｚ）に格納されたエネルギーはスキャン電極（Ｙ）に供給されないで第２経路電圧印加スイッチ（Ｙ＿ＳＵＳ＿ＤＮ）を通じて抜けるようになる。従って、Ｔ４期間の開始時点より前に、第２経路電圧印加スイッチ（Ｙ＿ＳＵＳ＿ＤＮ）をターンオフする。
【００９７】
（第２並列共振段階）
図９は、図５に示す第２並列共振段階（Ｔ４期間）での回路動作図である。
【００９８】
図９と図５を参照すれば、第２並列共振段階では、サステイン電極（Ｚ）からスキャン電極（Ｙ）に並列共振電流が流れて、サステイン電極（Ｚ）に格納されていたエネルギーがスキャン電極（Ｙ）に供給される。
【００９９】
第２並列共振段階（Ｔ４期間）は次のように動作される。
【０１００】
第２共振制御スイッチ（ＰＡＳＳ＿Ｚ）をターンオフしたまま、スキャン電極（Ｙ）に接続された第１共振制御スイッチ（ＰＡＳＳ＿Ｙ）をターンオンする。
これにより、サステイン電極（Ｚ）、第２逆電流防止ダイオード、第２インダクター（Ｌ２）、第１インダクター（Ｌ１）、第１共振制御スイッチ（ＰＡＳＳ＿Ｙ）、スキャン電極（Ｙ）につながる並列共振による電流パスが形成される。
【０１０１】
前記のように第２並列共振電流パスが形成されれば、第２サステイン電圧Ｖｓにあたるエネルギーがサステイン電極（Ｚ）からスキャン電極（Ｙ）に伝達し、印加される。
【０１０２】
したがって、サステイン電極（Ｚ）の電圧は、第２サステイン電圧Ｖｓからグラウンドレベルの電圧（ＧＮＤ）に低くなり、スキャン電極（Ｙ）の電圧はグラウンドレベルの電圧（ＧＮＤ）から第２サステイン電圧に高くなることで、パネルキャパシタ（Ｃｐ）に印加される電圧の極性が変わるようになる。即ち、図５のＴ４期間に示すように、パネルキャパシタ（Ｃｐ）の両端の電圧（サステイン電極を基準としたスキャン電極の電圧）が、負の電圧から正の電圧に反転する。
【０１０３】
第２並列共振段階でサステイン電極（Ｚ）の極性が変わる第２並列共振時間（Ｔ４期間）は、サステイン電極（Ｚ）からスキャン電極（Ｙ）に並列共振電流が流れる時間より短いのが望ましい。
具体的には、図５のＴ４〜Ｔ５期間に示すように、第１共振制御スイッチ（ＰＡＳＳ＿Ｙ）がターンオン状態からターンオフされる前に、第１サステイン電圧印加スイッチ（Ｙ＿ＳＵＳ＿ＵＰ）及び第１経路電圧印加スイッチ（Ｚ＿ＳＵＳ＿ＤＮ）をターンオンする。サステイン電圧源（Ｖｓ）が第１サステイン電圧印加スイッチ（Ｙ＿ＳＵＳ＿ＵＰ）、第１共振制御スイッチ（ＰＡＳＳ＿Ｙ）を通じて第２共振制御スイッチ（ＰＡＳＳ＿Ｚ）の第２逆流防止ダイオードと接続されたとしても、第２逆流防止ダイオードが逆バイアスされる。従って、サステイン電圧源（Ｖｓ）、第１サステイン電圧印加スイッチ（Ｙ＿ＳＵＳ＿ＵＰ）から、第１共振制御スイッチ（ＰＡＳＳ＿Ｙ）及び第２逆流防止ダイオードを介して電流が流れず、スキャン電極（Ｙ）のみに電流が流れる。
言い換えれば、第１共振制御スイッチ（ＰＡＳＳ＿Ｙ）のターンオン状態によるサステイン電極からスキャン電極へのエネルギーの回収を十分行いつつ、第１サステイン電圧印加スイッチ（Ｙ＿ＳＵＳ＿ＵＰ）による第１サステイン電圧Ｖｓの供給によって、スキャン電極を第１サステイン電圧Ｖｓに充電する。
【０１０４】
詳細な理由は、既に第１並列共振段階で説明したのと等しいので以下説明は略する。
【０１０５】
（サステインパルス供給動作）
図５のサステインパルスは、第１サステイン電圧が維持される段階（Ｔ１期間）、第１並列共振段階（Ｔ２期間）、第２サステイン電圧が維持される段階（Ｔ３期間）及び第２並列共振段階（Ｔ４期間）を繰り返して動作するようになる。これにより、スキャン電極及びサステイン電極にサステインパルスを印加する。
【０１０６】
（第１サステイン電圧維持段階）
図１０は、図５に示す第１サステイン電圧維持段階（Ｔ１期間）での回路動作図である。
【０１０７】
図１０は、前記のような４段階の週期が連続的に動作されることを説明するための図である。
【０１０８】
図１０に示すように、第１サステイン電圧が維持される段階では、第１サステイン電圧供給制御部２１１によって第１サステイン電圧Ｖｓがスキャン電極（Ｙ）に印加される。この時、サステイン電極（Ｚ）の電圧は第３電圧としてのグラウンドレベルの電圧（ＧＮＤ）に維持される。以下動作に対する説明は図６と図７を参照して説明したので以下略する。
即ち、図５に示すＴ１、Ｔ２、Ｔ３、Ｔ４の動作が繰り返し実行されて、スキャン電極（Ｙ）とサステイン電極（Ｚ）とにサステインパルスが交互に供給される。
【０１０９】
（第３電圧維持段階）
図１１は、図５に示す第３電圧維持段階（Ｔ０期間）での回路動作図である。
【０１１０】
第３電圧維持段階（図５のＴ５期間）は、前記サステインパルスの印加を終わらせる時に実行される段階であり、Ｔ１〜Ｔ４期間の動作を繰り返して複数のサステインパルスを印加し終わった後に実行される。
即ち、前記サステインパルスの印加を終わらせる時には、図５のＴ５期間の後半部分に示すように、第１サステイン電圧印加スイッチ（Ｙ＿ＳＵＳ＿ＵＰ）及び第１経路電圧印加スイッチ（Ｚ＿ＳＵＳ＿ＤＮ）をターンオンし、所定の時間が経過した以後、第１サステイン電圧印加スイッチ（Ｙ＿ＳＵＳ＿ＵＰ）をターンオフ（Ｔｕｒｎ−Ｏｆｆ）する。
その後、Ｔ０期間の開始時点では、第１経路電圧印加スイッチ（Ｚ＿ＳＵＳ＿ＤＮ）がターンオンの状態のまま、第２経路電圧印加スイッチ（Ｙ＿ＳＵＳ＿ＤＮ）をターンオン（Ｔｕｒｎ Ｏｎ）する。Ｔ０期間では、第１経路電圧印加スイッチ（Ｚ＿ＳＵＳ＿ＤＮ）及び第２経路電圧印加スイッチ（Ｙ＿ＳＵＳ＿ＤＮ）が共にターンオン状態を維持する。これにより、スキャン電極（Ｙ）及びサステイン電極（Ｚ）が共にグランド電位（ＧＮＤ）となり、パネルキャパシタ（Ｃｐ）の電圧は０Ｖとなる。これにより、サステインパルスの供給が終了する。
【０１１１】
（２）第２実施形態
（エネルギー回収回路の動作）
図１２は、本発明を利用した直列共振の時のスイッチのオン/オフタイミングとパネルキャパシターの出力波形を示すタイミング図及び波形図である。
【０１１２】
本発明に係る直列共振の時の駆動方法は、図１２を中心に図１３ないし図２０を参照して説明すれば次のようである。
【０１１３】
ここで、ソースキャパシター（Ｃｓ）にサステイン電圧（Ｖｚ）の半分の電圧Ｖｓが格納されていると仮定して説明する。
【０１１４】
キャパシター（Ｃｓ）、スキャン電極（Ｙ）、サステイン電極（Ｚ）及びパネルキャパシタ（Ｃｐ）を含むプラズマディスプレイパネルの駆動方法は、第１サステイン電圧上昇段階と、第１サステイン電圧維持段階と、第１サステイン電圧下降段階と、第３電圧維持段階と、第２サステイン電圧下降段階と、第２サステイン電圧維持段階と、第２サステイン電圧上昇段階と、第３電圧維持段階と、を含む。
第１サステイン電圧上昇段階では、キャパシター（Ｃｓ）からスキャン電極（Ｙ）に直列共振電流を通じてエネルギーを供給する。
第１サステイン電圧維持段階では、スキャン電極「Ｙ」に第１サステイン電圧が印加されて第１サステイン電圧が維持される。
第１サステイン電圧下降段階では、スキャン電極（Ｙ）からキャパシター（Ｃｓ）に直列共振電流を通じてエネルギーが回収される。
第３電圧維持段階では、サステイン電極（Ｚ）及びスキャン電極（Ｙ）に第１サステイン電圧より低く第２サステイン電圧より低い電圧である第３電圧が印加される。
第２サステイン電圧下降段階では、キャパシター（Ｃｓ）からサステイン電極（Ｙ）に直列共振電流を通じてエネルギーを供給する。
第２サステイン電圧維持段階では、サステイン電極（Ｚ）に第２サステイン電圧が印加されて第２サステイン電圧が維持される。
第２サステイン電圧上昇段階では、サステイン電極（Ｚ）からキャパシター（Ｃｓ）に直列共振電流を通じてエネルギーが回収される。
第３電圧維持段階では、サステイン電極（Ｚ）及び前記スキャン電極（Ｙ）に第１サステイン電圧より低く第２サステイン電圧より低い電圧である第３電圧が印加される。
【０１１５】
（第１サステイン電圧上昇段階）
図１３は、図１２に示す第１サステイン電圧上昇段階（Ｔ１期間）での回路動作図である。
以下の説明では、第１サステイン電圧及び第２サステイン電圧がサステイン電圧Ｖｓ、第３電圧がグランド電位（ＧＮＤ）として説明する。また、図５のＴ１期間の開始時点では、ソースキャパシタ（Ｃｓ）にＶｓ／２が充電されているとする。
【０１１６】
図１３と図１２を参照すれば、第１サステイン電圧上昇段階（Ｔ１期間）では、ソースキャパシター（Ｃｓ）からスキャン電極（Ｙ）に直列共振電流が流れて、ソースキャパシター（Ｃｓ）に格納されていたエネルギーがスキャン電極（Ｙ）に供給される。ソースキャパシター（Ｃｓ）に格納されていたエネルギーは、ソースキャパシタ（Ｃｓ）の静電容量及び電圧で決まる静電エネルギーであり、サステイン電圧の半分Ｖｓ／２に相当するエネルギーである。
【０１１７】
第１サステイン電圧上昇段階（Ｔ１期間）は次のように動作される。
【０１１８】
Ｔ１期間の開始時点において、第１経路電圧印加スイッチ（Ｚ＿ＳＵＳ＿ＤＮ）をターンオンの状態のまま、第２経路電圧印加スイッチ（Ｙ＿ＳＵＳ＿ＤＮ）をターンオフすると共に、スキャン電極（Ｙ）に繋がれた第１共振制御スイッチ（ＰＡＳＳ＿Ｙ）をターンオン（Ｔｕｒｎ Ｏｎ）する。
これにより、キャパシター（Ｃｓ）、第３逆電流防止ダイオード、第１インダクター（Ｌ１）、第１共振制御スイッチ（ＰＡＳＳ＿Ｙ）、スキャン電極（Ｙ）、パネルキャパシタ（Ｃｐ）、サステイン電極（Ｚ）、第１経路電圧印加スイッチ（Ｚ＿ＳＵＳ＿ＤＮ）につながる直列共振による電流パスが形成される。
【０１１９】
前記のように直列共振電流パスが形成さると、ソースキャパシター（Ｃｓ）に格納されていたエネルギーが、ソースキャパシター（Ｃｓ）から第１インダクター（Ｌ１）を経てスキャン電極（Ｙ）に供給される。
【０１２０】
したがって、スキャン電極（Ｙ）の電圧はグラウンド電位（ＧＮＤ）から第１サステイン電圧（Ｚ）に高くなり、サステイン電極（Ｚ）の電圧はグラウンド電位（ＧＮＤ）を維持する。これにより、パネルキャパシタ（Ｃｐ）の電圧が０からＶｓに上昇する。
ここで、パネルキャパシタ（Ｃｐ）の電圧は、サステイン電極（Ｚ）を基準としたスキャン電極（Ｙ）の電圧と定義する。即ち、スキャン電極（Ｙ）の電位がサステイン電極（Ｚ）より高い場合には、パネルキャパシタ（Ｃｐ）の電圧は正である。一方、スキャン電極（Ｙ）の電位がサステイン電極（Ｚ）の電位より低い場合には、パネルキャパシタ（Ｃｐ）の電圧は負である。
【０１２１】
第１サステイン電圧上昇段階（Ｔ１期間）では、スキャン電極（Ｙ）の電圧が第１サステイン電圧Ｖｓに上昇する時間は、キャパシター（Ｃｓ）からスキャン電極（Ｙ）に直列共振電流が流れる時間より短いことが望ましい。
具体的には、図１２のＴ１〜Ｔ２期間に示すように、第１サステイン電圧印加スイッチ（Ｙ＿ＳＵＳ＿ＵＰ）をターンオンした後に、第１共振制御スイッチ（ＰＡＳＳ＿Ｙ）をターンオフする。
言い換えれば、第１共振制御スイッチ（ＰＡＳＳ＿Ｙ）のオンによる直列共振電流が０になる前に、第１サステイン電圧印加スイッチ（Ｙ＿ＳＵＳ＿ＵＰ）をターンオンしてスキャン電極の電位を第１サステイン電圧Ｖｓまで上昇させる。
【０１２２】
第１共振制御スイッチ（ＰＡＳＳ＿Ｙ）が第１サステイン電圧維持段階（Ｔ２期間）までターンオン（Ｔｕｒｎ Ｏｎ）状態を維持することで、直列共振によってエネルギーが充分にスキャン電極（Ｙ）に伝達するようにするためである。
【０１２３】
（第１サステイン電圧維持段階）
図１４は、図１２に示す第１サステイン電圧維持段階（Ｔ２期間）での回路動作図である。
【０１２４】
図１４と図１２を参照すれば、第１サステイン電圧（Ｖｓ）が維持される段階（Ｔ２期間）では、第１サステイン電圧供給制御部２１１によって第１サステイン電圧（Ｖｓ）がスキャン電極（Ｙ）に印加される。この時、サステイン電極（Ｚ）の電圧は、第３電圧としてのグラウンドレベルの電圧（ＧＮＤ）に維持される。
【０１２５】
第１サステイン電圧が維持される段階（Ｔ２期間）は次のように動作される。
【０１２６】
スキャン電極〔Ｙ〕に繋がれた第１サステイン電圧印加スイッチ（Ｙ＿ＳＵＳ＿ＵＰ）がターンオン（Ｔｕｒｎ−Ｏｎ）されて、サステイン電極（Ｚ）に繋がれた第１経路電圧印加スイッチ（Ｚ＿ＳＵＳ＿ＤＮ）がターンオン〔Ｔｕｒｎ−Ｏｎ〕状態を維持する。
これにより、第１サステイン電圧源（Ｖｓ）、第１サステイン電圧印加部２１１、パネルキャパシタ（Ｃｐ）、第１経路電圧印加部２１２、グランド電位（ＧＮＤ）の間に電流パスが形成される。
【０１２７】
前記のような電流パスを第１経路と定義すると、第１経路が形成される間に、前記スキャン電極（Ｙ）が第１サステイン電圧（Ｖｓ）に相当するエネルギーまで充電され、維持される。サステイン電極（Ｚ）はグランド電位（ＧＮＤ）に固定されているので、パネルキャパシタ（Ｃｐ）の電圧が第１サステイン電圧（Ｖｓ）に維持される。この結果、パネルキャパシタ（Ｃｐ）の電圧は＋Ｖｓとなり、パネルキャパシタ（Ｃｐ）は、第１サステイン電圧（Ｖｓ）に相当するエネルギーに充電され、維持される。
【０１２８】
第１サステイン電圧維持段階（Ｔ２期間）では、スキャン電極（Ｙ）の電圧が第１サステイン電圧Ｖｓを維持する時間は、スキャン電極（Ｙ）に第１サステイン電圧が印加される時間より長いのが望ましい。
具体的には、図１２に示すように、Ｔ２期間の後半において、第１サステイン電圧印加スイッチ（Ｙ＿ＳＵＳ＿ＵＰ）をターンオフした後に、所定期間の間、スキャン電極（Ｙ）をフローティング状態で第１サステイン電圧（Ｖｓ）に維持する。
言い換えれば、Ｔ２期間とＴ３期間において、第１サステイン電圧印加スイッチ（Ｙ＿ＳＵＳ＿ＵＰ）をターンオフする時点と、エネルギー入出力制御スイッチ（ＥＲ＿ＤＮ）をターンオンする時点との間に、所定の期間を設ける。この所定期間の間は、スキャン電極（Ｙ）をフローティング状態で第１サステイン電圧（Ｖｓ）に維持する。
【０１２９】
第１経路電圧印加スイッチ（Ｚ＿ＳＵＳ＿ＤＮ）がターンオンされた状態で、第１サステイン電圧下降段階（Ｔ３期間）まで、第１サステイン電圧印加スイッチ（Ｙ＿ＳＵＳ＿ＵＰ）がターンオンされていると、サステイン電圧下降段階（Ｔ３期間）でエネルギー入出力制御スイッチ（ＥＲ＿ＤＮ）がターンオンされても、スキャン電極（Ｙ）の電圧は下降されずそのまま維持されるようになって問題になる。
【０１３０】
一方、第１サステイン電圧印加スイッチ（Ｙ＿ＳＵＳ＿ＵＰ）が第１サステイン電圧維持段階（Ｔ２期間）が終わる前にターンオフされても、閉ループが形成されず、スキャン電極（Ｙ）は、既に供給された電圧（第１サステイン電圧Ｖｓ）を、フローティング状態で、そのまま維持するようになる。
従って、エネルギー入出力制御スイッチ（ＥＲ＿ＤＮ）をターンオンする前に、第１サステイン電圧印加スイッチ（Ｙ＿ＳＵＳ＿ＵＰ）をターンオンする。
【０１３１】
（第１サステイン電圧下降段階）
図１５は、図１２に示す第１サステイン電圧下降段階（Ｔ３期間）での回路動作図である。
【０１３２】
図１５と図１２を参照すれば、第１サステイン電圧下降段階（Ｔ３期間）では、スキャン電極（Ｙ）からキャパシター〔Ｃｓ〕に、直列共振電流によって電流が流れて、スキャン電極〔Ｙ〕に格納されていたエネルギー（パネルキャパシタＣｐに格納されていた第１サステイン電圧Ｖｓに相当するエネルギー）が、キャパシター（Ｃｓ）に供給される。
【０１３３】
第１サステイン電圧下降段階（Ｔ３期間）は次のように動作される。
【０１３４】
サステイン電極（Ｚ）に繋がれた第１経路電圧スイッチ（Ｚ＿ＳＵＳ＿ＤＮ）がターンオンを維持して、エネルギー入出力制御スイッチ（ＥＲ＿ＤＮ）がターンオン（Ｔｕｒｎ Ｏｎ）される。
これにより、グランド電位（ＧＮＤ）、第１経路電圧印加スイッチ(Ｚ＿ＳＵＳ＿ＤＮ)、、サステイン電極（Ｚ）、パネルキャパシタ（Ｃｐ）、スキャン電極（Ｙ）、第１逆電流防止ダイオード、第１インダクター（Ｌ１）、エネルギー入出力制御スイッチ（ＥＲ＿ＤＮ）、ソースキャパシター（Ｃｓ）、グランド電位（ＧＮＤ）につながる直列共振による電流パスが形成される。
【０１３５】
前記のように直列共振電流パスが形成されると、第１サステイン電圧（Ｖｓ）にあたるエネルギーが、スキャン電極（Ｙ）からキャパシター（Ｃｓ）に回収される。
【０１３６】
したがって、スキャン電極（Ｙ）の電圧は、第１サステイン電圧からグラウンド電位（ＧＮＤ）に下降する。
【０１３７】
第１サステイン電圧下降段階（Ｔ３期間）でスキャン電極（Ｙ）の電圧が下降する時間は、スキャン電極（Ｙ）からキャパシター（Ｃｓ）に直列共振電流が流れる時間より短いことが望ましい。
具体的には、図１２のＴ３期間に示すように、エネルギー入出力制御スイッチ（ＥＲ＿ＤＮ）がターンオフされる前に、第２経路電圧印加スイッチ（Ｙ＿ＳＵＳ＿ＤＮ）がターンオンされる。即ち、エネルギー入出力制御スイッチ（ＥＲ＿ＤＮ）のオンによる直列共振電流が０になる前に、第２経路電圧印加スイッチ（Ｙ＿ＳＵＳ＿ＤＮ）のターンオンによりスキャン電極がグランド電位（ＧＮＤ）として、第１サステイン電圧下降段階（Ｔ３期間）を終了する。
【０１３８】
エネルギー入出力制御スイッチ（ＥＲ＿ＤＮ）がターンオンされている間に、直列共振によってスキャン電極（Ｙ）のエネルギーがキャパシター（Ｃｓ）に供給される。そして、第３電圧維持段階（Ｔ４）までその状態が維持されても、キャパシター（Ｃｓ）に格納されたエネルギーは、第１共振制御スイッチ（ＰＡＳＳ＿Ｙ、ＰＡＳＳ＿Ｚ）に含まれた第１逆電流防止ダイオードによって、そのままキャパシター（Ｃｓ）に維持される。
【０１３９】
（第３電圧維持段階）
図１６は、図１２に示す第３電圧維持段階（Ｔ４期間）での回路動作図である。
【０１４０】
図１６と図１２を参照すれば、第３電圧維持段階（Ｔ４期間）では、パネルキャパシタ（Ｃｓ）の両端に第３の電圧が印加されて、パネルキャパシタ（Ｃｐ）の電圧は第３電圧としての０Ｖに維持される。
【０１４１】
第３電圧が維持される段階（Ｔ４期間）は次のように動作される。
【０１４２】
第１経路電圧印加スイッチ（Ｚ＿ＳＵＳ＿ＤＮ）がターンオンに維持されたまま、第２経路電圧印加スイッチ（Ｙ＿ＳＵＳ＿ＤＮ）がターンオンされる。
これにより、グランド電位（ＧＮＤ）、第１経路電圧印加スイッチ（Ｚ＿ＳＵＳ＿ＤＮ）、、サステイン電極（Ｚ）、パネルキャパシタ（Ｃｐ）、スキャン電極（Ｙ）、第２経路電圧印加スイッチ（Ｙ＿ＳＵＳ＿ＤＮ）、グランド電位（ＧＮＤ）の間に電流パスが形成される。
【０１４３】
前記のような電流パスが形成される間に、パネルキャパシタ（Ｃｐ）両端の電圧は０Ｖを維持する。
【０１４４】
前記第３電圧維持段階（Ｔ４期間）でスキャン電極（Ｙ）及びサステイン電極（Ｚ）の電圧が第３電圧（グランド電位）を維持する時間は、第３電圧（グランド電位）がスキャン電極（Ｙ）及び前記サステイン電極（Ｙ）に印加される時間より長いのが望ましい。
具体的には、第１経路電圧印加スイッチ（Ｚ＿ＳＵＳ＿ＤＮ）をターンオフした後に、所定期間の間、サステイン電極（Ｚ）をフローティング状態でグランド電位（ＧＮＤ）に維持した後、第２共振制御スイッチ（ＰＡＳＳ＿Ｚ）をターンオンする。
言い換えれば、第１経路電圧印加スイッチ（Ｚ＿ＳＵＳ＿ＤＮ）のターンオフ時点と、第２共振制御スイッチ（ＰＡＳＳ＿Ｚ）のターンオン時点との間に、所定の期間を設ける。その所定の期間の間は、サステイン電極（Ｚ）がフローティング状態でグランド電位に維持される。
【０１４５】
もし第３電圧維持時間（Ｔ４期間）より第１経路電圧印加スイッチ（Ｚ＿ＳＵＳ＿ＤＮ）がターンオンを長く維持する場合、第２サステイン電圧下降時間（Ｔ５期間）に第２共振制御スイッチが（ＰＡＳＳ＿Ｚ）ターンオンされると、グランド電位（ＧＮＤ）、ソースキャパシター（Ｃｓ）、第３逆流防止ダイオード、第２インダクター（Ｌ２）、第２共振制御スイッチ（ＰＡＳＳ＿Ｚ）、第１経路電圧印加スイッチ（Ｚ＿ＳＵＳ＿ＤＮ）、グランド電位（ＧＮＤ）につながる電流パスが形成されて、ソースキャパシター（Ｃｓ）に格納されていたエネルギーは第１経路電圧印加スイッチ（Ｚ＿ＳＵＳ＿ＤＮ）を通じてグランド電位（ＧＮＤ）に抜ける。
【０１４６】
したがって、前記のような問題を防止するため、第３電圧維持時間（Ｔ４期間）は、第１経路電圧印加スイッチ（Ｚ＿ＳＵＳ＿ＤＮ）のターンオンによる第３の電圧の印加時間より長くすることが、回路の安定的駆動に役に立つ。
【０１４７】
（第２サステイン電圧下降段階）
図１７は、図１２に示す第２サステイン電圧下降段階（Ｔ５期間）での回路動作図である。
【０１４８】
図１７と図１２を参照すれば、第２サステイン電圧下降段階（Ｔ５期間）では、ソースキャパシター（Ｃｓ）からサステイン電極（Ｚ）に、直列共振電流によって、キャパシター（Ｃｓ）に格納されていたエネルギー（Ｖｓ／２に相当するエネルギー）がサステイン電極（Ｚ）に供給される。
【０１４９】
第２サステイン電圧下降段階（Ｔ５期間）は次のように動作される。
【０１５０】
サステイン電極（Ｚ）に繋がれた第２共振制御スイッチ（ＰＡＳＳ＿Ｚ）がターンオン（Ｔｕｒｎ Ｏｎ）されて、第２経路電圧印加スイッチ（Ｙ＿ＳＵＳ＿ＤＮ）がターンオン状態を維持する。
これにより、グランド電位（ＧＮＤ）、キャパシター〔Ｃｓ〕、第３逆電流防止ダイオード、第２インダクター〔Ｌ２〕、第２共振制御スイッチ（ＰＡＳＳ＿Ｚ）、パネルキャパシタ（Ｃｐ）、第２経路電圧印加スイッチ（Ｙ＿ＳＵＳ＿ＤＮ）、グランド電位（ＧＮＤ）につながる直列共振による電流パスが形成される。
【０１５１】
前記のように直列共振電流パスが形成されれば、第２サステイン電圧の半分Ｖｓ／２にあたるエネルギーが、直列共振により、前記ソースキャパシター（Ｃｓ）からサステイン電極（Ｚ）に供給され、サステイン電極（Ｚ）がサステイン電圧Ｖｓに充電される。
【０１５２】
したがって、前記サステイン電極（Ｚ）の電圧はグラウンド電位（ＧＮＤ）から第２サステイン電圧まで上昇することで、パネルキャパシタ（Ｃｐ）の電圧の極性が反転する。
【０１５３】
第２サステイン電圧下降段階（Ｔ５期間）でサステイン電極（Ｚ）の電圧が第２サステイン電圧に上昇する時間は、キャパシター（Ｃｓ）からサステイン電極（Ｚ）に直列共振電流が流れる時間より短いのが望ましい。
具体的には、第２共振制御スイッチ（ＰＡＳＳ＿Ｚ）がターンオフされる時点より前に、第２サステイン電圧印加スイッチ（Ｚ＿ＳＵＳ＿ＵＰ）がターンオンされる。
言い換えれば、第２共振制御スイッチ（ＰＡＳＳ＿Ｚ）のターンオンにより直列共振電流が０になる前に、第２サステイン電圧印加スイッチ（Ｚ＿ＳＵＳ＿ＵＰ）がターンオンされて、サステイン電極（Ｚ）の電圧がＶｓに上昇し、上昇期間（Ｔ５期間）が終了する。
【０１５４】
これは、第２共振制御スイッチ（ＰＡＳＳ＿Ｚ）のターンオン時間を長くすることで、直列共振電流が流れる時間を長く持って行くことができるからである。したがって、サステイン電極（Ｚ）は、直列共振による電圧下降と第２サステイン電圧維持段階による電圧印加が重なりながら、回路の駆動をより安定的に持って行くことができるようになる。
【０１５５】
（第２サステイン電圧維持段階）
図１８は、図１２に示す第２サステイン電圧維持段階（Ｔ６期間）での回路動作図である。
【０１５６】
図１８と図１２を参照すれば、第２サステイン電圧維持段階（Ｔ６期間）では、第２サステイン電圧供給制御部２２１によって第２サステイン電圧（Ｖｓ）がサステイン電極（Ｚ）に印加される。この時、スキャン電極（Ｙ）の電圧は、第３電圧としてのグラウンド電位（ＧＮＤ）に維持される。
【０１５７】
第２サステイン電圧維持段階（Ｔ６期間）は次のように動作される。
【０１５８】
サステイン電極(Z)に繋がれた第２サステイン電圧印加スイッチ（Ｚ＿ＳＵＳ＿ＵＰ）がターンオン（Ｔｕｒｎ−Ｏｎ）されて、スキャン電極（Ｙ）に繋がれた第２経路電圧印加スイッチ(Y_SUS_DN)がターンオン(Turn-On)を維持する。
これにより、第２サステイン電圧源（Ｖｓ）、第２サステイン電圧印加スイッチ（Ｚ＿ＳＵＳ＿ＵＰ）、サステイン電極（Ｚ）、パネルキャパシタ(Cp)、スキャン電極（Ｙ）第２経路電圧印加スイッチ（Ｙ＿ＳＵＳ＿ＤＮ）の間に電流パスが形成される。
【０１５９】
前記のような電流パスを第２経路と定義すると、第２経路が形成される間に、サステイン電極（Ｚ）に第２サステイン電圧Ｖｓが供給され、維持される。スキャン電極（Ｙ）はグランド電位（ＧＮＤ）に固定されているので、パネルキャパシタ（Ｃｐ）の電圧が第２サステイン電圧（Ｖｓ）に維持される。この結果、パネルキャパシタ（Ｃｐ）のエネルギーは、第２サステイン電圧（Ｖｓ）に相当するエネルギーに維持される。
【０１６０】
第２サステイン電圧維持段階（Ｔ６期間）でサステイン電極（Ｚ）の電圧が第２サステイン電圧Ｖｓを維持する時間は、第２サステイン電圧Ｖｓがサステイン電極に印加される時間より長いのが望ましい。
具体的には、第２サステイン電圧印加スイッチ（Ｚ＿ＳＵＳ＿ＵＰ）をターンオフした後に、所定期間の間、サステイン電極（Ｚ）をフローティング状態で第２サステイン電圧Ｖｓに維持する。
言い換えれば、第２サステイン電圧印加スイッチ（Ｚ＿ＳＵＳ＿ＵＰ）のターンオフする時点と、エネルギー入出力制御スイッチ（ＥＲ＿ＤＮ）をターンオンする時点との間に、所定期間を設ける。この所定期間の間、サステイン電極（Ｚ）を、フローティング状態で、第２サステイン電圧Ｖｓに維持する。
【０１６１】
もし、第２サステイン電圧維持時間（Ｔ６期間）より第２サステイン電圧印加スイッチ（Ｚ＿ＳＵＳ＿ＵＰ）がターンオンする時間を長く維持する場合、第２サステイン電圧上昇段階（Ｔ７期間）でエネルギー入出力制御スイッチ（ＥＲ＿ＤＮ）をターンオンしても、第２サステイン電圧印加スイッチ（Ｚ＿ＳＵＳ＿ＵＰ）を通じて供給されるエネルギーのため、サステイン電極（Ｚ）の電圧が下降することができなくなる。したがって、安定的回路動作のためには、第２サステイン電圧維持時間（Ｔ６期間）は、第２サステイン電圧Ｖｓがサステイン電極（Ｚ）に印加される時間より長く持って行った方が良い。
【０１６２】
（第２サステイン電圧上昇段階）
図１９は、図１２に示す第２サステイン電圧上昇段階（Ｔ７期間）での回路動作図である。
【０１６３】
図１９と図１２を参照すれば、第２サステイン電圧上昇段階（Ｔ７期間）では、サステイン電極（Ｚ）からキャパシター（Ｃｓ）に並列共振電流が流れて、サステイン電極（Ｚ）に格納されていたエネルギーがソースキャパシター（Ｃｓ）に供給される。
【０１６４】
第２サステイン電圧上昇段階（Ｔ７期間）は次のように動作される。
【０１６５】
キャパシター（Ｃｓ）に繋がれた前記エネルギー入出力制御スイッチ（ＥＲ＿ＤＮ）がターンオン（Ｔｕｒｎ Ｏｎ）されて、スキャン電極（Ｙ）に繋がれた第２経路電圧印加スイッチ（Ｚ＿ＳＵＳ＿ＵＰ）がターンオン状態を維持する。
・  これにより、グランド電位（ＧＮＤ）、第２経路電圧印加スイッチ（Ｙ＿ＳＵＳ＿ＤＮ）、スキャン電極（Ｙ）、パネルキャパシタ（Ｃｐ）、サステイン電極（Ｚ）、第２逆電流防止ダイオード、第２インダクター（Ｌ２）、エネルギー入出力制御スイッチ（ＥＲ＿ＤＮ）、ソースキャパシター（Ｃｓ）につながる直列共振による電流パスが形成される。
【０１６６】
前記のように直列共振電流パスが形成されれば、前記第２サステイン電圧にあたるエネルギーはサステイン電極（Ｚ）からソースキャパシター（Ｃｓ）に回収される。これにより、ソースキャパシタ（Ｃｓ）は、Ｖｓ／２まで充電される。
【０１６７】
したがって、サステイン電極（Ｚ）の電圧は、第２サステイン電圧からグラウンド電位（ＧＮＤ）に下降する。
【０１６８】
第２サステイン電圧上昇段階（Ｔ７）でサステイン電極の電圧が第３電圧まで下降する時間は、サステイン電極からソースキャパシターに直列共振電流が流れる時間より短いのが望ましい。
具体的には、図１２のＴ７〜Ｔ０期間に示すように、エネルギー入出力制御スイッチ（ＥＲ＿ＤＮ）をターンオフする前に、第１経路電圧印加スイッチ（Ｚ＿ＳＵＳ＿ＤＮ）をターンオンする。
言い換えれば、エネルギー入出力制御スイッチ（ＥＲ＿ＤＮ）のターンオン状態による直列共振電流が０になる前に、第１経路電圧印加スイッチ（Ｚ＿ＳＵＳ＿ＤＮ）をターンオンして、サステイン電極の電圧が第３電圧まで下降する期間を終了する。
【０１６９】
第３電圧維持段階（Ｔ０期間）の開始時点以後までエネルギー入出力制御スイッチ（ＥＲ＿ＤＮ）のターンオン状態を維持すれば、第３電圧維持段階（Ｔ０期間）で第１経路電圧印加スイッチ（Ｚ＿ＳＵＳ＿ＤＮ）がターンオンされる。しかし、前記キャパシター（Ｃｓ）に格納されたエネルギーは、第２共振制御スイッチ（ＰＡＳＳ＿Ｚ）に繋がれた第２逆電流防止ダイオードによって、第１経路電圧印加スイッチ（Ｚ＿ＳＵＳ＿ＤＮ）を通じて抜けないで、ソースキャパシター（Ｃｓ）に維持される。
【０１７０】
したがって、エネルギー入出力制御スイッチ（ＥＲ＿ＤＮ）のターンオン時間を長く持って行くことで直列共振を充分に起こしてソースキャパシター（Ｃｓ）にエネルギーを十分回収するようにする。
【０１７１】
（第３電圧維持段階）
図２０は、図１２に示す第３電圧維持段階（Ｔ０期間）での回路動作図である。
【０１７２】
図２０及び図１２を参照すれば、第３電圧維持段階（Ｔ０期間）では、第２経路電圧印加スイッチ（Ｙ＿ＳＵＳ＿ＤＮ）はターンオンを維持して、第１経路電圧印加スイッチ（Ｚ＿ＳＵＳ＿ＵＰ）がターンオンされて、パネルキャパシタ（Ｃｐ）両端の電圧は第３電圧としてのグラウンド電位（ＧＮＤ）に維持される。これにより、直列共振方式によるサステインパルスの供給は終わる。
以上のＴ１〜Ｔ０期間の動作が繰り返されて、スキャン電極及びサステイン電極に交互にサステインパルスが印加される。
【０１７３】
（３）第３実施形態
図２１は、本発明を利用した直/並列共振の時のスイッチのオン/オフタイミングとパネルキャパシターの電圧出力波形を示すタイミング図及び波形図である。
【０１７４】
キャパシター（Ｃｓ）、スキャン電極（Ｙ）及びサステイン電極（Ｚ）を含むプラズマディスプレイパネル（Ｃｐ）の駆動方法は、第１サステイン電圧上昇段階、第１サステイン電圧維持段階、第１並列共振段階、第２サステイン電圧維持段階、第２並列共振段階、第３サステイン電圧維持段階、第１サステイン電圧下降段階、第３電圧維持段階、を含む。
第１サステイン電圧上昇段階では、ソースキャパシター（Ｃｓ）からスキャン電極（Ｙ）に、直列共振電流を通じて、エネルギーが供給される。、
第１サステイン電圧維持段階では、スキャン電極（Ｙ）に第１サステイン電圧が印加されて、サステイン電極（Ｚ）に第１サステイン電圧より低い電圧である第１経路電圧が印加されて、第１サステイン電圧が維持される。
第１並列共振段階では、スキャン電極（Ｙ）からサステイン電極（Ｚ）に第１サステイン電圧にあたるエネルギーを、並列共振電流を通じて供給する。
第２サステイン電圧維持段階では、サステイン電極（Ｚ）に第２サステイン電圧が印加されて、スキャン電極（Ｙ）に第１サステイン電圧より低い電圧である第２経路電圧が印加されて、第２サステイン電圧が維持される。
第２並列共振段階では、サステイン電極（Ｚ）からスキャン電極（Ｙ）に第２サステイン電圧にあたるエネルギーを、並列共振電流を通じて供給する。
第３サステイン電圧維持段階では、スキャン電極（Ｙ）に第１サステイン電圧が印加されて、サステイン電極（Ｚ）に第１サステイン電圧より低い電圧である第１経路電圧が印加されて第１サステイン電圧が維持される。
第１サステイン電圧下降段階では、スキャン電極（Ｙ）でからキャパシター（Ｃｓ）に直列共振電流を通じてエネルギーが回収される。
第３電圧維持段階では、サステイン電極（Ｚ）及びスキャン電極（Ｙ）に第１サステイン電圧より低く第２サステイン電圧より低い電圧である第３電圧が印加される。
【０１７５】
（第１サステイン電圧上昇段階）
図２２は、図２１に示す第１サステイン電圧上昇段階（Ｔ１期間）での回路動作図である。
【０１７６】
図２２と図２１を参照すれば、第１サステイン電圧上昇段階（Ｔ１期間）では、ソースキャパシター（Ｃｓ）からスキャン電極（Ｙ）に、直列共振電流が流れて、ソースキャパシター（Ｃｓ）に格納されていたエネルギーがスキャン電極（Ｙ）に供給される。
エネルギーは、ソースキャパシタ（Ｃｓ）の静電容量及び電圧により決まる静電エネルギーであり、静電容量をＣｓとしたときの電圧＝Ｖｓ／２に相当するエネルギーである。
【０１７７】
第１サステイン電圧上昇段階（Ｔ１期間）でスキャン電極（Ｙ）の電圧が第１サステイン電圧に上昇する時間は、キャパシター（Ｃｓ）からスキャン電極（Ｙ）に直列共振電流が流れる時間より短いのが望ましい。
【０１７８】
具体的な回路動作や各スイッチ素子の具体的な動作過程は、図１３を参照して上述したのと同様の原理なので説明を略する。
【０１７９】
（第１サステイン電圧維持段階）
図２３は、図２１に示す第１サステイン電圧維持段階（Ｔ２期間）での回路動作図である。
【０１８０】
図２３と図２１を参照すれば、第１サステイン電圧が維持される段階（Ｔ２期間）では、第１サステイン電圧印加スイッチ（Ｙ＿ＳＵＳ＿ＵＰ）によって、第１サステイン電圧Ｖｓがスキャン電極（Ｙ）に印加される。
この時、サステイン電極（Ｚ）の電圧は第３電圧としてのグラウンド電位（ＧＮＤ）に維持される。
【０１８１】
第１サステイン電圧Ｖｓが維持される段階（Ｔ２期間）でスキャン電極（Ｙ）の電圧が第１サステイン電圧で維持される時間は、第１サステイン電圧Ｖｓがスキャン電極（Ｙ）に印加される時間より長いのが望ましい。
具体的な回路動作や各スイッチ素子の具体的な動作過程は、図１４を参照して上述したのと同様の原理なので説明を略する。
【０１８２】
（第１並列共振段階）
図２４は、図２１に示す第１並列共振段階（Ｔ３期間）での回路動作図である。
【０１８３】
図２４と図２１を参照すれば、第１並列共振段階（Ｔ３期間）では、スキャン電極（Ｙ）からサステイン電極（Ｚ）に、並列共振電流が流れて、スキャン電極（Ｙ）に格納されていたエネルギーがサステイン電極（Ｚ）に供給される。
【０１８４】
第１並列共振段階（Ｔ３期間）でスキャン電極（Ｙ）の電圧が下降する時間（第１並列共振時間）は、スキャン電極（Ｙ）からサステイン電極に並列共振電流が流れる時間より短いのが望ましい。
具体的な回路動作や各スイッチ素子の具体的な動作過程は、図７を参照して上述したのと同様の原理なので説明を略する。
【０１８５】
（第２サステイン電圧維持段階）
図２５は、図２１に示す第２サステイン電圧維持段階（Ｔ４期間）での回路動作図である。
【０１８６】
図２５と図２１を参照すれば、第２サステイン電圧が維持される段階（Ｔ４期間）では、第２サステイン電圧印加スイッチ（Ｚ＿ＳＵＳ＿ＵＰ）によってサステイン電極（Ｚ）に第２サステイン電圧Ｖｓが印加される。
【０１８７】
第２サステイン電圧が維持される段階（Ｔ４期間）でサステイン電極の電圧が第２サステイン電圧Ｖｓで維持される時間は、第２サステイン電圧Ｖｓがサステイン電極に印加される時間より長いのが望ましい。
具体的な回路動作や各スイッチ素子の具体的な動作過程は、図８を参照して上述したのと同様の原理なので説明を略する。
【０１８８】
（第２並列共振段階）
図２６は、図２１に示す第２並列共振段階（Ｔ５）での回路動作図である。
【０１８９】
図２６と図２１を参照すれば、第２並列共振段階（Ｔ５）では、サステイン電極（Ｚ）からスキャン電極（Ｙ）に、並列共振電流が流れて、サステイン電極（Ｚ）に格納されていたエネルギーがスキャン電極（Ｙ）に供給される。
【０１９０】
第２並列共振段階（Ｔ５）でサステイン電極（Ｚ）の電圧が上昇する時間（第２並列共振時間）は、サステイン電極（Ｚ）からスキャン電極（Ｙ）に並列共振電流が流れる時間より短いのが望ましい。
具体的な回路動作や各スイッチ素子の具体的な動作過程は、図９を参照して上述したのと同様の原理なので説明を略する。
【０１９１】
（第３サステイン電圧維持段階）
図２７は、図２１に示す第３サステイン電圧維持段階（Ｔ６期間）での回路動作図である。
【０１９２】
図２７と図２１を参照すれば、第１サステイン電圧（Ｔ６期間）が維持される段階では、第１サステイン電圧印加スイッチ（Ｙ＿ＳＵＳ＿ＵＰ）によって第１サステイン電圧Ｖｓがスキャン電極（Ｙ）に印加される。この時、サステイン電極（Ｚ）は、第３電圧としてのグラウンド電位（ＧＮＤ）に維持される。
【０１９３】
第１サステイン電圧維持段階（Ｔ６期間）でスキャン電極（Ｙ）の電圧が第１サステイン電圧Ｖｓを維持する時間は、スキャン電極（Ｙ）に第１サステイン電圧Ｖｓが印加される時間より長いのが望ましい。
具体的な回路動作や各スイッチ素子の具体的な動作過程は、図１０を参照して上述したのと同様の原理なので説明を略する。
【０１９４】
（第１サステイン電圧下降段階）
図２８は、図２１に示す第１サステイン電圧下降段階（Ｔ７期間）での回路動作図である。
【０１９５】
図２８と図２１を参照すれば、第１サステイン電圧下降段階（Ｔ７期間）では、スキャン電極（Ｙ）からソースキャパシター（Ｃｓ）に、直列共振電流が流れて、スキャン電極（Ｙ）に格納されていたエネルギーがソースキャパシター（Ｃｓ）に供給される。
【０１９６】
第１サステイン電圧下降段階（Ｔ７期間）でスキャン電極（Ｙ）の電圧が下降する時間は、スキャン電極（Ｙ）からソースキャパシター（Ｃｓ）に直列共振電流が流れる時間より短いのが望ましい。
具体的な回路動作や各スイッチ素子の具体的な動作過程は、図１５を参照して上述したのと同様の原理なので説明を略する。
【０１９７】
（第３電圧維持段階）
図２９は、図２１に示す第３電圧維持段階（Ｔ０期間）での回路動作図である。
【０１９８】
第３電圧維持段階（Ｔ０期間）では、パネルキャパシタ（Ｃｐ）両端に第３電圧が印加されてパネル（Ｃｐ）の電圧は第３電圧としてのグラウンドレベルの電圧に維持される。
具体的な回路動作や各スイッチ素子の具体的な動作過程は、図１６を参照して上述したのと同様の原理なので説明を略する。
以上のＴ１〜Ｔ０期間の動作を繰り返して、スキャン電極及びサステイン電極にサステインパルスを供給する。
（変形例）
なお、本実施形態では、スキャン電極とエネルギー格納部との間で直列共振によりエネルギーを印加及び回収する場合を例に説明したが、スキャン電極とサステイン電極とを入れ替えて、サステイン電極とエネルギー格納部との間で直列共振によりエネルギーを印加及び回収するように構成しても良い。その場合には、上記説明において、スキャン電極とサステイン電極を入れ替えた動作となる。
【図面の簡単な説明】
【０１９９】
【図１】一般的なプラズマディスプレイパネルの構造を示す図。
【図２】従来プラズマディスプレイパネルのエネルギー回収回路図。
【図３】第１エネルギー回収装置スイッチのオン/オフタイミングとパネルキャパシターの出力波形を現わすタイミング図及び波形図。
【図４】本発明によるプラズマディスプレイ装置のエネルギー回収回路図。
【図５】本発明を利用した並列共振の時のスイッチのオン/オフタイミングとパネルキャパシターの出力波形を示すタイミング図及び波形図。
【図６】図５に示す第１並列共振段階での回路動作図。
【図７】図５に示す第２サステイン電圧維持段階での回路動作図。
【図８】図５に示す第２並列共振段階での回路動作図。
【図９】図５に示す第１サステイン電圧維持段階での回路動作図。
【図１０】図５に示す第１サステイン電圧維持段階での回路動作図。
【図１１】図５に示す第３電圧維持段階での回路動作図。
【図１２】本発明を利用した直列共振の時のスイッチのオン/オフタイミングとパネルキャパシターの出力波形を現わすタイミング図及び波形図。
【図１３】図１２に示す第１サステイン電圧上昇段階での回路動作図。
【図１４】図１２に示す第１サステイン電圧維持段階での回路動作図。
【図１５】図１２に示す第１サステイン電圧下降段階での回路動作図。
【図１６】図１２に示す第３電圧維持段階での回路動作図。
【図１７】図１２に示す第２サステイン電圧下降段階での回路動作図。
【図１８】図１２に示す第２サステイン電圧維持段階での回路動作図。
【図１９】図１２に示す第２サステイン電圧上昇段階での回路動作図。
【図２０】図１２に示す第３電圧維持段階での回路動作図。
【図２１】本発明を利用した直/並列共振の時のスイッチのオン/オフタイミングとパネルキャパシターの出力波形を現わすタイミング図及び波形図。
【図２２】図２１に示す第１サステイン電圧上昇段階での回路動作図。
【図２３】図２１に示す第１サステイン電圧維持段階での回路動作図。
【図２４】図２１に示す第１並列共振段階での回路動作図。
【図２５】図２１に示す第２サステイン電圧維持段階での回路動作図。
【図２６】図２１に示す第２並列共振段階での回路動作図。
【図２７】図２１に示す第１サステイン電圧維持段階での回路動作図。
【図２８】図２１に示す第１サステイン電圧下降段階での回路動作図。
【図２９】図２１に示す第３電圧維持段階での回路動作図。
【図１】
2007114725.tif 000003
【図２】
2007114725.tif 000004
【図３】
2007114725.tif 000005
【図４】
2007114725.tif 000006
【図５】
2007114725.tif 000007
【図６】
2007114725.tif 000008
【図７】
2007114725.tif 000009
【図８】
2007114725.tif 000010
【図９】
2007114725.tif 000011
【図１０】
2007114725.tif 000012
【図１１】
2007114725.tif 000013
【図１２】
2007114725.tif 000014
【図１３】
2007114725.tif 000015
【図１４】
2007114725.tif 000016
【図１５】
2007114725.tif 000017
【図１６】
2007114725.tif 000018
【図１７】
2007114725.tif 000019
【図１８】
2007114725.tif 000020
【図１９】
2007114725.tif 000021
【図２０】
2007114725.tif 000022
【図２１】
2007114725.tif 000023
【図２２】
2007114725.tif 000024
【図２３】
2007114725.tif 000025
【図２４】
2007114725.tif 000026
【図２５】
2007114725.tif 000027
【図２６】
2007114725.tif 000028
【図２７】
2007114725.tif 000029
【図２８】
2007114725.tif 000030
【図２９】
2007114725.tif 000031